(57)【要約】【課題】通信装置を遠隔操作する遠隔操作モードへの簡便な切り替えを可能にする技術を提供することを目的とする。【解決手段】本出願は、音声指示によって、家電機器に対する遠隔操作を実行するシステムに用いられる通信装置の子機を開示する。子機は、前記遠隔操作の開始要求を受けてトリガ信号を生成するトリガ信号生成部と、音声を受け取る受音部と、前記受音部を通じて入力された前記音声を符号化し、第１ストリームを生成する第１生成部と、前記第１ストリームを、前記通信装置の親機へ送信する第１送信部と、を備える。前記トリガ信号生成部により前記トリガ信号が生成されている場合、前記第１生成部は、前記音声が前記音声指示であることを表す指示ビット情報と、前記第１ストリームとして前記音声指示を表す第１指示ストリームと、を生成する。前記第１送信部は、前記指示ビット情報と前記第１指示ストリームとを、前記親機へ送信する。【選択図】図１
2018088723.tif 000002
【特許請求の範囲】
【請求項１】
音声指示によって、家電機器に対する遠隔操作を実行するシステムに用いられる通信装置の子機であって、
前記遠隔操作の開始要求を受けてトリガ信号を生成するトリガ信号生成部と、
音声を受け取る受音部と、
前記受音部を通じて入力された前記音声を符号化し、第１ストリームを生成する第１生成部と、
前記第１ストリームを、前記通信装置の親機へ送信する第１送信部と、を備え、
前記トリガ信号生成部により前記トリガ信号が生成されている場合、前記第１生成部は、前記音声が前記音声指示であることを表す指示ビット情報と、前記第１ストリームとして前記音声指示を表す第１指示ストリームと、を生成し、
前記第１送信部は、前記指示ビット情報と前記第１指示ストリームとを、前記親機へ送信する
子機。
【請求項２】
前記トリガ信号生成部は、前記子機の筐体上に現れる操作部 、前記子機に対して与えられた運動を検出するセンサ素子 、前記音声を認識する音声認識部のうち少なくとも１つを含む
請求項１に記載の子機。
【請求項３】
前記第１送信部は、前記指示ビット情報と前記第１指示ストリームとを、前記トリガ信号が生成されていない場合に生成された前記第１ストリームと共通の多重化方式を通じて前記親機へ送信する
請求項１に記載の子機。
【請求項４】
前記第１生成部は、前記指示ビット情報として、前記第１指示ストリームに対する音声符号化方式を指定する情報を生成する
請求項１乃至３のいずれか１項に記載の子機。
【請求項５】
前記第１生成部は、前記指示ビット情報として、前記第１指示ストリームに対するビットレートを指定する情報を生成する
請求項４に記載の子機。
【請求項６】
前記開始要求は、前記子機に対して与えられる所定の運動、前記子機に対して与えられる所定の音声、前記子機に対して与えられる所定の操作のうち少なくとも１つである
請求項１に記載の子機。
【請求項７】
請求項１に記載の子機と、親機と、を備える通信装置であって、
前記親機は、
（ｉ）前記指示ビット情報及び前記第１指示ストリームの受信に応じて、前記第１指示ストリームに対応する第２指示ストリームを生成し、且つ、前記音声が音声通話であることを示す通話ビット情報及び前記第１ストリームとして前記音声を表す第１通話ストリームの受信に応じて、前記第１通話ストリームに対応する第２通話ストリームを生成する第２生成部と、
（ｉｉ）前記第２指示ストリームを、前記第２指示ストリームから前記家電機器を制御するための制御コマンドを生成するサーバへ送信し、且つ、前記第２通話ストリームを、通話相手の電話機へ送信する第２送信部と、を含む
通信装置。
【請求項８】
音声指示によって、家電機器に対する遠隔操作を実行するシステムに用いられる通信装置の子機の制御方法であって、
前記遠隔操作の開始要求を受けてトリガ信号を生成するトリガ信号生成ステップと、
前記子機が備える受音部を通じて入力された音声を、前記子機が備える第１生成部に符号化させ、第１ストリームを生成させる第１生成ステップと、
前記第１ストリームを、前記通信装置の親機へ送信する第１送信ステップと、を備え、
前記トリガ信号生成ステップにおいて、前記遠隔操作の開始要求を受けてトリガ信号が生成されている場合、前記第１生成部に、前記音声が前記音声指示であることを表す指示ビット情報と前記第１ストリームとして前記音声指示を表す第１指示ストリームを生成させることを含み、
前記第１送信ステップは、前記指示ビット情報と前記第１指示ストリームとを、前記親機へ送信することを含む
制御方法。
【発明の詳細な説明】
【技術分野】
【０００１】
本発明は、ユーザの音声指示によって、家電機器に対する遠隔操作を実行するシステムに用いられる通信装置の制御技術に関する。
【背景技術】
【０００２】
近年の通信技術の進歩は、ユーザが与えた音声指示によって家電機器を遠隔操作することを可能にしている（特許文献１及び２を参照）。特許文献１及び２によれば、ユーザは、コードレス電話機器の子機に特定のコードやパスワードを入力し、親機の動作モードを、音声認識モードに設定することができる。親機は、音声認識モード下で、家電機器を遠隔操作するための様々な処理を実行する。
【先行技術文献】
【特許文献】
【０００３】
【特許文献１】特開平６−１５２７６８号公報
【特許文献２】特開平７−３０６７５号公報
【発明の概要】
【発明が解決しようとする課題】
【０００４】
上述の従来技術は、子機と親機との間に、通話に専ら用いられる回線と、家電機器の遠隔操作に専ら用いられる回線と、を必要とする。このことは、家電機器を制御するための制御システムの複雑な設計及び／又は制御システムの構築のためのコストの増大に帰結する。
【０００５】
本発明は、通信装置を遠隔操作する遠隔操作モードへの簡便な切り替えを可能にする技術を提供することを目的とする。
【課題を解決するための手段】
【０００６】
本発明の一局面に係る通信装置の子機は、音声指示によって家電機器に対する遠隔操作を実行するシステムに用いられる。子機は、前記遠隔操作の開始要求を受けてトリガ信号を生成するトリガ信号生成部と、音声を受け取る受音部と、前記受音部を通じて入力された前記音声を符号化し、第１ストリームを生成する第１生成部と、前記第１ストリームを、前記通信装置の親機へ送信する第１送信部と、を備える。前記トリガ信号生成部により前記トリガ信号が生成されている場合、前記第１生成部は、前記音声が前記音声指示であることを表す指示ビット情報と、前記第１ストリームとして前記音声指示を表す第１指示ストリームと、を生成する。前記第１送信部は、前記指示ビット情報と前記第１指示ストリームとを、前記親機へ送信する。
【０００７】
本発明の他の局面に係る通信装置は、上述の子機と、親機と、を備える。前記親機は、（ｉ）前記指示ビット情報及び前記第１指示ストリームの受信に応じて、前記第１指示ストリームに対応する第２指示ストリームを生成し、且つ、前記音声が音声通話であることを示す通話ビット情報及び前記第１ストリームとして前記音声を表す第１通話ストリームの受信に応じて、前記第１通話ストリームに対応する第２通話ストリームを生成する第２生成部と、（ｉｉ）前記第２指示ストリームを、前記第２指示ストリームから前記家電機器を制御するための制御コマンドを生成するサーバへ送信し、且つ、前記第２通話ストリームを、通話相手の電話機へ送信する第２送信部と、を含む。
【０００８】
本発明の更に他の局面に係る制御方法は、ユーザの音声指示によって、家電機器に対する遠隔操作を実行するシステムに用いられる通信装置の子機を制御するために利用される。制御方法は、前記遠隔操作の開始要求を受けてトリガ信号を生成するトリガ信号生成ステップと、前記子機が備える受音部を通じて入力された音声を、前記子機が備える第１生成部に符号化させ、第１ストリームを生成させる第１生成ステップと、前記第１ストリームを、前記通信装置の親機へ送信する第１送信ステップと、を備える。前記トリガ信号生成ステップにおいて、前記遠隔操作の開始要求を受けてトリガ信号が生成されている場合、前記第１生成部に、前記音声が前記音声指示であることを表す指示ビット情報と前記第１ストリームとして前記音声指示を表す第１指示ストリームを生成させることを含む。前記第１送信ステップは、前記指示ビット情報と前記第１指示ストリームとを、前記親機へ送信することを含む。
【発明の効果】
【０００９】
本発明は、通信装置を遠隔操作する遠隔操作モードへの簡便な切り替えを可能にする。
【図面の簡単な説明】
【００１０】
【図１】第１実施形態のコードレス電話機器の概略的なブロック図である。
【図２】図１に示されるコードレス電話機器に対する例示的な制御方法の概略的なフローチャートである（第２実施形態）。
【図３】図１に示されるコードレス電話機器に対する例示的な制御方法の概略的なフローチャートである（第３実施形態）。
【図４】第４実施形態のコードレス電話機器の概略的なブロック図である。
【図５】第５実施形態の電話子機の概略的なブロック図である。
【図６】図５に示される電話子機の例示的な動作を表す概略的なタイミングチャートである（第６実施形態）。
【図７】第７実施形態の電話子機の概略的なブロック図である。
【図８】第８実施形態の制御システムの概念図である。
【図９】第９実施形態のウェアラブル端末の概略的なブロック図である。
【図１０】第１０実施形態の制御システムの概念図である。
【図１１】第１１実施形態の制御システムの概念図である。
【図１２】第１２実施形態の制御システムの概念図である。
【図１３】第１３実施形態のウェアラブル端末の概略的なブロック図である。
【図１４】第１４実施形態の制御システムの概念図である。
【図１５】図１４に示されるウェアラブル端末の使用環境を示す概念図である。
【図１６】第１５実施形態のウェアラブル端末の概略的なブロック図である。
【図１７】第１６実施形態の制御システムの概念図である。
【図１８Ａ】図１７に示される制御システムのウェアラブル端末の使用環境を示す概念図である。
【図１８Ｂ】図１７に示される制御システムのウェアラブル端末の使用環境を示す概念図である。
【図１９】第１７実施形態のコードレス電話機器の概略的なブロック図である。
【図２０】図１９に示されるコードレス電話機器の親機に対する例示的な制御方法の概略的なフローチャートである（第１８実施形態）。
【図２１】第１９実施形態の親機の概略的なブロック図である。
【図２２】図２１に示される親機に対する例示的な制御方法の概略的なフローチャートである（第２０実施形態）。
【図２３】図２１に示される親機によって実行されるミュートモードへの切替制御の概略的なフローチャートである（第２１実施形態）。
【図２４】第２２実施形態の親機の概略的なブロック図である。
【図２５】第２３実施形態の親機の概略的なブロック図である。
【図２６Ａ】第２４実施形態の制御システムの概念図である。
【図２６Ｂ】図２６Ａに示される制御システムの親機の概略的なブロック図である。
【図２７】第２５実施形態の制御システムの概念図である。
【図２８】図２７に示される制御システムの対象機器データベースに格納された例示的なデータを示す表である。
【図２９】第２６実施形態のウェアラブル端末の概略的なブロック図である。
【図３０】図２９に示されるウェアラブル端末を備える制御システムの概念図である。
【図３１】図３０に示される制御システムの対象機器データベースに格納された例示的なデータを示す表である。
【図３２】図８に示される制御システムの使用方法の概念図である（第２７実施形態）。
【図３３】第２８実施形態のウェアラブル端末の概略的なブロック図である。
【図３４】第２９実施形態の親機の概略的なブロック図である。
【図３５】第３０実施形態の制御システムの概念図である。
【図３６】第３１実施形態のウェアラブル端末の概略的なブロック図である。
【図３７】上肢部において設定された３次元座標系の概念図である。
【図３８】ユーザが求める操作とウェアラブル端末に対する操作との間の例示的な関係を表す表である。
【発明を実施するための形態】
【００１１】
添付の図面を参照して、コードレス電話機器を用いた家電装置の制御技術に関する様々な実施形態が以下に説明される。コードレス電話機器を用いた家電装置の制御技術は、以下の説明によって、明確に理解可能である。「上」、「下」、「左」や「右」といった方向を表す用語は、単に、説明の明瞭化を目的とする。したがって、これらの用語は、限定的に解釈されるべきものではない。
【００１２】
＜第１実施形態＞
上述の如く、コードレス電話機器を利用した従来の制御技術は、子機と親機との間に、通話に専ら用いられる回線と、家電機器の遠隔操作に専ら用いられる回線と、を必要とする。通話時の音声を表すストリーム及び家電機器の遠隔操作のための音声を表すストリームが、子機と親機の間に構築された共通の多重化方式を通じて、子機から親機へ伝達される場合には、家電機器を制御するための制御システムの過度に複雑な設計は必要とされない。このことは、制御システムの構築のための低いコストを可能にする。第１実施形態において、子機と親機の間に構築された共通の多重化方式を通じて、通話時の音声を表すストリーム及び家電機器の遠隔操作のための音声を表すストリームを子機から親機へ伝達する技術が説明される。当該技術は、ユーザが通話を行う通話モードとユーザが家電機器を遠隔操作する遠隔操作モードとを簡便に切り替えることを可能にする。
【００１３】
図１は、第１実施形態のコードレス電話機器１００の概略的なブロック図である。図１を参照して、コードレス電話機器１００が説明される。
【００１４】
コードレス電話機器１００は、親機２００と、子機３００と、を備える。一般的なコードレス電話機器と同様に、ユーザは、親機２００又は子機３００へ音声を入力し、通話相手ＩＴＰと会話することができる。
【００１５】
ユーザは、家電機器ＡＰＬを遠隔操作するための音声指示を、子機３００に与えてもよい。音声指示は、子機３００から親機２００へ伝達される。その後、音声指示は、サーバＳＶＲを通じて、親機２００から家電機器ＡＰＬへ伝達される。家電機器ＡＰＬは、音声指示に応じて動作する。したがって、コードレス電話機器１００は、家電機器ＡＰＬに対する遠隔操作を実行するシステムの一部として機能することができる。
【００１６】
子機３００は、受音部３１０と、生成部３２０と、送信部３３０と、を含む。ユーザは、受音部３１０に向けて、音声を発する。受音部３１０は、音声を受け取り、電気信号に変換する。受音部３１０は、一般的な電話機に内蔵されるマイクロフォンであってもよい。代替的に、受音部３１０は、ユーザの音声を電気信号に変換することができる他の装置であってもよい。本実施形態の原理は、受音部３１０に用いられる特定の装置に限定されない。
【００１７】
電気信号は、受音部３１０から生成部３２０へ出力される。生成部３２０は、電気信号に対して符号化処理を施与し、ユーザの音声を表すストリームを生成する。本実施形態において、第１生成部は、生成部３２０によって例示される。第１ストリームは、生成部３２０によって生成されたストリームによって例示される。
【００１８】
符号化処理は、一般的なコードレス電話機器に利用される符号化技術に基づいてもよい。例えば、生成部３２０は、ＤＥＣＴ規格に準拠した音声符号化方式で符号化処理を実行してもよい。加えて、生成部３２０は、ＤＥＣＴ規格に準拠したビットレートで符号化処理を実行してもよい。代替的に、生成部３２０は、他の音声符号化技術を用いて、符号化処理を行ってもよい。本実施形態の原理は、生成部３２０によって実行される特定の符号化処理に限定されない。
【００１９】
ストリームは、生成部３２０から送信部３３０へ出力される。送信部３３０は、その後、ストリームを親機２００へ送信する。本実施形態において、第１送信部は、送信部３３０によって例示される。
【００２０】
ユーザは、家電機器ＡＰＬに対する遠隔操作の開始を要求するためのトリガを子機３００に与えてもよい。ユーザは、子機３００に対して、所定の操作を行い、家電機器ＡＰＬに対する遠隔操作の開始を要求してもよい。代替的に、ユーザは、子機３００に所定の運動を与え、家電機器ＡＰＬに対する遠隔操作の開始を要求してもよい。更に代替的に、ユーザは、子機３００に向けて、所定の音声を発し、家電機器ＡＰＬに対する遠隔操作の開始を要求してもよい。本実施形態の原理は、家電機器ＡＰＬに対する遠隔操作の開始を要求するための特定の方法に限定されない。本実施形態において、第１トリガは、ユーザが子機３００に与えるトリガによって例示される。
【００２１】
ユーザが、上述の如く、トリガを子機３００に与えると、生成部３２０は、トリガに応じて、指示ビット情報を生成する。生成部３２０は、上述のストリームとして、トリガの後に受音部３１０が受け取った音声（家電機器ＡＰＬに対する音声指示）を表す電気信号から指示ストリームを生成する。本実施形態において、第１指示ストリームは、生成部３２０によって生成された指示ストリームによって例示される。
【００２２】
ユーザが、トリガを子機３００に与えないときに、生成部３２０が生成したストリームと同様に、指示ビット情報及び指示ストリームは、送信部３３０を通じて、生成部３２０から親機２００へ送信される。送信部３３０から親機２００への指示ビット情報及び指示ストリームの送信には、ユーザが、トリガを子機３００に与えないときに、生成部３２０が生成したストリームと共通の多重化方式が利用される。したがって、家電機器ＡＰＬを制御するための制御システムの過度に複雑な設計は必要とされない。
【００２３】
子機３００と親機２００との間で構築される共通の多重化方式は、ＤＥＣＴ規格に準拠したＴＤＤ−ＴＤＭＡ方式であってもよい。代替的に、他の多重化方式が、子機３００と親機２００との間で構築されてもよい。本実施形態の原理は、特定の多重化方式に限定されない。
【００２４】
親機２００が、指示ビット情報を受け取った場合に、親機２００は、指示ビット情報とともに受け取ったストリームが、家電機器ＡＰＬに対する音声指示を表す指示ストリームであると判定してもよい。この場合、親機２００は、サーバＳＶＲを通じて、家電機器ＡＰＬと通信する。
【００２５】
親機２００が、指示ビット情報を受け取らなかった場合に、親機２００は、子機３００から受け取ったストリームが、通話相手ＩＴＰへの会話内容を表す音声を表すと判定してもよい。この場合、親機２００は、通信相手の電話機と通信する。
【００２６】
＜第２実施形態＞
第１実施形態に関連して説明されたコードレス電話機器は、様々な制御の下で動作することができる。第２実施形態において、コードレス電話機器に対する例示的な制御方法が説明される。
【００２７】
図２は、コードレス電話機器１００に対する例示的な制御方法の概略的なフローチャートである。図１及び図２を参照して、コードレス電話機器１００の制御方法が説明される。
【００２８】
（ステップＳ１１０）
ステップＳ１１０において、生成部３２０は、受音部３１０を通じて入力された音声を表す電気信号に対して符号化処理を実行し、ストリームを生成する。ユーザが、子機３００にトリガを与えた場合に、生成部３２０は、指示ビット情報と、ストリームとして指示ストリームを生成する。生成部３２０が、ストリームを生成した後、ステップＳ１２０が実行される。本実施形態において、第１生成ステップは、ステップＳ１１０によって例示される。
【００２９】
（ステップＳ１２０）
ステップＳ１２０において、ストリームは、送信部３３０を通じて生成部３２０からへ親機２００へ送信される。ステップＳ１１０において、生成部３２０が、指示ビット情報と指示ストリームとを生成した場合に、指示ビット情報及び指示ストリームは、生成部３２０から送信部３３０へ出力される。指示ビット情報及び指示ストリームは、多重化方式を通じて、送信部３３０から親機２００へ送信される。送信部３３０から親機２００への指示ビット情報及び指示ストリームの送信には、ユーザが、トリガを子機３００に与えないときに、生成部３２０が生成したストリームと共通の多重化方式が利用される。本実施形態において、第１送信ステップは、ステップＳ１２０によって例示される。
【００３０】
＜第３実施形態＞
ユーザが、トリガを子機に与えないときにも、子機は、ビット情報を生成してもよい。この結果、親機は、子機から送信されるストリームが、通話相手との会話内容を表すのか、家電機器への音声指示を表すのか、を正確に判別することができる。第３実施形態において、複数種のビット情報を生成する制御技術が説明される。
【００３１】
図３は、コードレス電話機器１００に対する例示的な制御方法の概略的なフローチャートである。図１及び図３を参照して、コードレス電話機器１００の制御方法が説明される。
【００３２】
（ステップＳ２１０）
ステップＳ２１０において、ユーザは、家電機器ＡＰＬへ音声指示を与えるか、通話相手との会話を行うか、を決定する。家電機器ＡＰＬへ音声指示を与えるユーザは、子機３００にトリガを与える。ユーザが、子機３００にトリガを与えた場合に、ステップＳ２２０が実行される。他の場合には、ステップＳ２３０が実行される。
【００３３】
（ステップＳ２２０）
ステップＳ２２０において、生成部３２０は、指示ビット情報と、指示ストリームと、を生成する。その後、ステップＳ２４０が実行される。生成部３２０は、ＤＥＣＴ規格に準拠した音声符号化方式で指示ストリームを生成してもよい。生成部３２０は、ＤＥＣＴ規格に準拠したビットレートで指示ストリームを生成してもよい。本実施形態において、第１生成ステップは、ステップＳ２２０によって例示される。
【００３４】
（ステップＳ２３０）
ステップＳ２３０において、生成部３２０は、通話ビット情報と、通話ストリームと、を生成する。生成部３２０は、ＤＥＣＴ規格に準拠した音声符号化方式で通話ストリームを生成してもよい。生成部３２０は、ＤＥＣＴ規格に準拠したビットレートで通話ストリームを生成してもよい。指示ビット情報とは異なり、通話ビット情報は、受音部３１０が受け取った音声が、通話相手ＩＴＰとの音声通話であることを表す。指示ストリームとは異なり、通話ストリームは、通話相手ＩＴＰとの会話音声を表す。通話ビット情報及び通話ストリームの生成の後、ステップＳ２４０が実行される。本実施形態において、第１生成ステップは、ステップＳ２３０によって例示される。
【００３５】
（ステップＳ２４０）
ステップＳ２４０において、ストリームは、生成部３２０から送信部３３０へ出力される。指示ビット情報及び指示ストリームは、通話ビット情報及び通話ストリームと共通の多重化方式を通じて、送信部３３０から親機２００へ送信される。
【００３６】
＜第４実施形態＞
コードレス電話機器の子機は、ユーザが家電機器に対する遠隔操作を行おうとしているか否かを表すトリガ信号を生成する機能を有してもよい。第４実施形態において、トリガ信号を生成することができる子機を備えるコードレス電話機器が説明される。
【００３７】
図４は、第４実施形態のコードレス電話機器１００Ａの概略的なブロック図である。図４を参照して、コードレス電話機器１００Ａが説明される。第１実施形態及び第４実施形態の間で共通して用いられる符号は、当該共通の符号が付された要素が、第１実施形態と同一の機能を有することを意味する。したがって、第１実施形態の説明は、これらの要素に援用される。
【００３８】
コードレス電話機器１００Ａは、親機２００を備える。第１実施形態の説明は、親機２００に援用される。
【００３９】
コードレス電話機器１００Ａは、子機３００Ａを更に備える。第３実施形態に関連して説明された技術に従って、子機３００Ａは、指示ビット情報及び指示ストリームの組と、通話ビット情報及び通話ストリームの組と、を選択的に生成してもよい。指示ビット情報及び指示ストリームの組並びに通話ビット情報及び通話ストリームの組は、共通の多重化方式を通じて、子機３００Ａから親機２００へ送信される。
【００４０】
第１実施形態と同様に、子機３００Ａは、受音部３１０と、送信部３３０と、を含む。第１実施形態の説明は、これらの要素に援用される。
【００４１】
子機３００Ａは、ストリーム生成部３２０Ａと、トリガ信号生成部３４０を更に含む。ユーザが、子機３００Ａにトリガを与えると、トリガ信号生成部３４０は、トリガ信号を生成する。トリガ信号は、トリガ信号生成部３４０からストリーム生成部３２０Ａに出力される。ストリーム生成部３２０Ａは、トリガ信号に応じて、指示ビット情報を生成する。ストリーム生成部３２０Ａは、その後、受音部３１０から受け取った電気信号に符号化処理を施与し、指示ストリームを生成する。指示ビット情報及び指示ストリームは、ストリーム生成部３２０Ａから送信部３３０へ出力される。本実施形態において、第１生成部は、ストリーム生成部３２０Ａによって例示される。第１トリガは、トリガ信号によって例示される。
【００４２】
ストリーム生成部３２０Ａがトリガ信号を受け取らない一方で受音部３１０から電気信号を受け取った場合に、ストリーム生成部３２０Ａは、通話ビット情報と、通話ストリームと、を生成する。通話ビット情報及び通話ストリームは、ストリーム生成部３２０Ａから送信部３３０へ出力される。
【００４３】
トリガ信号生成部３４０は、子機３００Ａの筐体（図示せず）上に現れる操作ボタン（たとえば、電源ボタン）や他の操作部位であってもよい。この場合、家電機器ＡＰＬを遠隔操作しようとするユーザは、トリガ信号生成部３４０として機能する操作部位を操作し、トリガ信号を生成することができる。
【００４４】
トリガ信号生成部３４０は、加速度センサ、角速度センサや子機３００Ａに対して与えられた運動を検出することができる他のセンサ素子であってもよい。この場合、家電機器ＡＰＬを遠隔操作しようとするユーザは、子機３００Ａを動かし、トリガ信号を生成することができる。
【００４５】
トリガ信号生成部３４０は、音声を認識する機能を有してもよい。この場合、トリガ信号生成部３４０は、受音部３１０に電気的に接続されてもよい。トリガ信号生成部３４０は、受音部３１０がユーザの音声から変換した電気信号を解析し、電気信号が、特定の音声を表す場合に、トリガ信号を生成してもよい。
【００４６】
＜第５実施形態＞
第４実施形態に関連して説明された子機に関する設計原理に基づいて、設計者は、様々な装置を設計することができる。設計者は、一般的なコードレス電話の電話子機と同様の形状及び機能を有する子機を設計してもよい。代替的に、設計者は、腕時計のように見える端末やペンダントのように見える端末といったウェアラブル端末を設計してもよい。第５実施形態において、一般的なコードレス電話の電話子機と同様の形状及び機能を有する子機が説明される。
【００４７】
図５は、第５実施形態の電話子機３００Ｂの概略的なブロック図である。図４及び図５を参照して、電話子機３００Ｂが説明される。
【００４８】
一般的なコードレス電話機器の電話子機と同様に、電話子機３００Ｂは、ユーザの音声を電波として親機へ送信する機能と、通話相手の音声を表す電波を親機から受信し、通話相手の音声を出力する機能と、を有する。これらの機能に加えて、電話子機３００Ｂは、家電機器に対する遠隔操作を行うための音声を処理する機能を有する。
【００４９】
電話子機３００Ｂは、信号変換部３１０Ｂと、集積回路３２０Ｂと、アンテナ部３３１と、電源ボタン３４０Ｂと、電力供給部３５０と、を含む。ユーザは、電源ボタン３４０Ｂを操作し、電力供給部３５０からの電力供給を要求してもよい。この結果、電力が、電力供給部３５０から信号変換部３１０Ｂ及び集積回路３２０Ｂへ供給される。その後、ユーザは、通話相手と会話したり、家電機器を遠隔操作したりすることができる。
【００５０】
信号変換部３１０Ｂは、入力キー３１１と、スピーカ３１２と、マイクロフォン３１３と、を含む。入力キー３１１は、一般的なコードレス電話機器の電話子機が備える１０キーであってもよい。ユーザは、入力キー３１１を操作し、通話相手の電話番号を入力してもよい。入力された電話番号は、電気信号として集積回路３２０Ｂへ出力される。集積回路３２０Ｂは、電話番号を表す電気信号を処理し、電話番号を表す電波をアンテナ部３３１から親機へ送信する。入力キー３１１への操作によって生成された電気信号の処理は、一般的なコードレス電話機器の電話子機が行う処理技術に基づいてもよい。本実施形態の原理は、入力キー３１１への操作によって生成された電気信号に対する特定の処理に限定されない。
【００５１】
アンテナ部３３１は、通話相手の音声を表す電波を受信する。その後、集積回路３２０Ｂは、電波を処理し、通話相手の音声を表す電気信号を生成する。電気信号は、その後、集積回路３２０Ｂからスピーカ３１２へ出力される。スピーカ３１２は、集積回路３２０Ｂからの電気信号を音声に変換する。この結果、通話相手の音声は、スピーカ３１２から再生される。通話相手の音声の再生のための信号処理技術及び再生技術は、一般的なコードレス電話機器の電話子機が行う処理技術に基づいてもよい。本実施形態の原理は、通話相手の音声を再生するための特定の技術に限定されない。
【００５２】
マイクロフォン３１３は、ユーザの音声を電気信号に変換する。マイクロフォン３１３は、一般的なコードレス電話機器の電話子機が内蔵するマイクロフォンと同一の構造を有してもよい。本実施形態の原理は、マイクロフォン３１３の特定の構造に限定されない。マイクロフォン３１３は、図４を参照して説明された受音部３１０に対応する。
【００５３】
集積回路３２０Ｂは、制御部３２１と、符号化部３２２と、Ｉ／Ｏセクション３２３と、通信部３３２と、を含む。制御部３２１は、集積回路３２０Ｂの全体的な動作を制御する。したがって、符号化部３２２、Ｉ／Ｏセクション３２３及び通信部３３２は、制御部３２１の制御下で動作する。
【００５４】
電力供給部３５０が、信号変換部３１０Ｂ及び集積回路３２０Ｂへ電力供給している間に、ユーザが電源ボタン３４０Ｂを操作すると（たとえば、ユーザが電源ボタン３４０Ｂを短時間押圧すると）、トリガ信号は、電源ボタン３４０Ｂから制御部３２１へ出力される。制御部３２１は、トリガ信号に応じて、指示ビット情報を生成する。指示ビット情報は、マイクロフォン３１３によって生成された電気信号に対する符号化処理に用いられる音声符号化方式を指定する情報を含んでもよい。加えて、指示ビット情報は、マイクロフォン３１３によって生成された電気信号に対する符号化処理に用いられるビットレートを指定する情報を含んでもよい。指示ビット情報は、制御部３２１から符号化部３２２へ出力される。電源ボタン３４０Ｂは、図４を参照して説明されたトリガ信号生成部３４０に対応する。
【００５５】
ユーザは、電源ボタン３４０Ｂを操作した後、マイクロフォン３１３に、家電機器を遠隔操作するための音声指示を入力する。マイクロフォン３１３は、音声指示を電気信号に変換する。電気信号は、マイクロフォン３１３からＩ／Ｏセクション３２３へ出力される。Ｉ／Ｏセクション３２３は、制御部３２１の制御下で、電気信号を符号化部３２２へ出力する。符号化部３２２は、指示ビット情報によって指定された音声符号化方式に従って、電気信号に対して符号化処理を行い、指示ストリームを生成してもよい。加えて、符号化部３２２は、指示ビット情報によって指定されたビットレートに従って、電気信号に対して符号化処理を行い、指示ストリームを生成してもよい。制御部３２１及び符号化部３２２は、図４を参照して説明されたストリーム生成部３２０Ａに対応する。本実施形態において、第１指示ストリームは、符号化部３２２によって生成された指示ストリームによって例示される。
【００５６】
符号化部３２２は、指示ビット情報及び指示ストリームを通信部３３２へ出力する。通信部３３２は、その後、指示ビット情報及び指示ストリームをアンテナ部３３１から送信する。指示ビット情報及び指示ストリームは、アンテナ部３３１から親機へ送信される。通信部３３２及びアンテナ部３３１は、図４を参照して説明された送信部３３０に対応する。
【００５７】
ユーザが、入力キー３１１を用いて、通話相手の電話番号を入力すると、電話番号を表す電気信号は、入力キー３１１からＩ／Ｏセクション３２３へ出力される。その後、電気信号は、Ｉ／Ｏセクション３２３から制御部３２１へ伝達される。制御部３２１は、Ｉ／Ｏセクション３２３からの電気信号に応じて、電話子機３００Ｂと通話相手の電話機との間での通信を成立させるための制御信号を生成する。制御信号は、その後、制御部３２１から、通信部３３２を通じてアンテナ部３３１から親機へ送信される。電話子機３００Ｂと通話相手の電話機との間での通信を成立させるための制御信号の生成技術は、一般的なコードレス電話機器の電話子機に適用される生成技術と同様であってもよい。本実施形態は、制御信号を生成するための特定の技術に限定されない。
【００５８】
制御部３２１が、電話番号を表す電気信号を受け取ると、制御部３２１は、通話ビット情報を生成してもよい。代替的に、電話子機３００Ｂと通話相手の電話機との間での通信が成立したときに（たとえば、通話相手が、受話器を取り上げたときに）、制御部３２１は、通話ビット情報を生成してもよい。本実施形態の原理は、通話ビット情報が生成される特定のタイミングに限定されない。
【００５９】
指示ビット情報と同様に、通話ビット情報は、マイクロフォン３１３によって生成された電気信号に対する符号化処理に用いられる音声符号化方式を指定する情報を含んでもよい。加えて、通話ビット情報は、マイクロフォン３１３によって生成された電気信号に対する符号化処理に用いられるビットレートを指定する情報を含んでもよい。
【００６０】
電話子機３００Ｂと通話相手の電話機との間での通信の成立の後、ユーザは、通話相手との会話を開始する。マイクロフォン３１３は、ユーザの音声を電気信号に変換する。電気信号は、マイクロフォン３１３からＩ／Ｏセクション３２３へ出力される。Ｉ／Ｏセクション３２３は、制御部３２１の制御下で、電気信号を符号化部３２２へ出力する。
【００６１】
符号化部３２２は、通話ビット情報によって指定された音声符号化方式に従って、電気信号に対して符号化処理を行い、通話ストリームを生成してもよい。加えて、符号化部３２２は、通話ビット情報によって指定されたビットレートに従って、電気信号に対して符号化処理を行い、通話ストリームを生成してもよい。本実施形態において、第１通話ストリームは、符号化部３２２によって生成された通話ストリームによって例示される。
【００６２】
符号化部３２２は、通話ビット情報及び通話ストリームを通信部３３２へ出力する。通信部３３２は、その後、通話ビット情報及び通話ストリームをアンテナ部３３１から送信する。通話ビット情報及び通話ストリームは、アンテナ部３３１から親機へ送信される。
【００６３】
＜第６実施形態＞
第５実施形態に関連して説明された電話子機は、動作モードを、通話相手と会話をするための第１動作モードと、家電機器を遠隔操作するための第２動作モードと、の間で切り替えることができる。電話子機は、共通の多重化方式を通じて、通話ストリームと指示ストリームとを親機へ送信するので、ユーザは、通話相手の電話機と電話子機との間の通信を維持したまま、第１動作モードと第２動作モードとの間での動作モードの切替を行うことができる。第６実施形態において、第１動作モードと第２動作モードとの間での動作モードの切替が説明される。
【００６４】
図６は、電話子機３００Ｂの例示的な動作を表す概略的なタイミングチャートである。図５及び図６を参照して、電話子機３００Ｂの動作が説明される。
【００６５】
時刻Ｔ０において、ユーザは、電源ボタン３４０Ｂを操作し、電力供給部３５０からの電力供給を要求する。この結果、電力は、電力供給部３５０から信号変換部３１０Ｂ及び集積回路３２０Ｂへ供給される。その後、ユーザは、入力キー３１１を操作し、通信相手の電話番号を入力する。この結果、電話子機３００Ｂから通信相手の電話機が呼び出される。通信相手が、呼び出しに応じて受話器を取ると、電話子機３００Ｂと通信相手の電話機との間での通信が成立する。その後、電話子機３００Ｂは、第１動作モードで動作する。電話子機３００Ｂが、第１動作モードで動作している間、ユーザは、通話相手と会話する。本実施形態において、通話モードは、第１動作モードによって例示される。
【００６６】
時刻Ｔ０の後の時刻Ｔ１において、ユーザは、電源ボタン３４０Ｂを短期間押圧する。この結果、トリガ信号が、電源ボタン３４０Ｂから制御部３２１へ出力される。したがって、符号化部３２２が、通話ストリームを生成するための処理を行っているときに、制御部３２１は、トリガ信号を受け取ることになる。制御部３２１は、トリガ信号に応じて、指示ビット情報を生成する。指示ビット情報は、制御部３２１から符号化部３２２へ出力される。符号化部３２２は、その後、指示ストリームを生成するための符号化処理を開始する。この結果、電話子機３００Ｂの動作モードは、第１動作モードから第２動作モードに切り替えられる。
【００６７】
電話子機３００Ｂが、第２動作モードで動作している間、制御部３２１は、指示ストリームによって表される音声（すなわち、音声指示）が、通話相手の電話機に伝達されないことを要求する要求信号を生成する。要求信号は、通信部３３２及びアンテナ部３３１を通じて、制御部３２１から親機へ送信される。要求信号は、指示ストリーム及び通話ストリームの送信に用いられた多重化方式を通じて、制御部３２１から親機へ伝達されてもよい。要求信号の送信の結果、電話子機３００Ｂは、通話相手の電話機に対してミュートモードで動作することができる。
【００６８】
要求信号の生成の後、制御部３２１は、ユーザの音声に代替する代替音を表す代替ストリームを生成してもよい。代替ストリームは、通信部３３２及びアンテナ部３３１を通じて、制御部３２１から親機へ送信される。代替ストリームは、指示ストリーム及び通話ストリームの送信に用いられた多重化方式を通じて、制御部３２１から親機へ伝達されてもよい。
【００６９】
時刻Ｔ１の後の時刻Ｔ２において、ユーザは、電源ボタン３４０Ｂを短期間押圧し、第１動作モードへの復帰を要求する。この結果、新たなトリガ信号が、電源ボタン３４０Ｂから制御部３２１へ出力される。したがって、符号化部３２２が、指示ストリームを生成するための処理を行っているときに、制御部３２１は、新たなトリガ信号を受け取ることになる。制御部３２１は、新たなトリガ信号に応じて、通話ビット情報を生成する。通話ビット情報の生成と同期して、第２動作モード（ミュートモード）は終了し、電話子機３００Ｂの動作モードは、第２動作モードから第１動作モードに切り替えられる。本実施形態において、第２トリガは、新たなトリガ信号によって例示される。
【００７０】
通話ビット情報は、制御部３２１から符号化部３２２へ出力される。符号化部３２２は、通話ビット情報に応じて、通話ストリームを生成するための符号化処理を開始する。
【００７１】
＜第７実施形態＞
通話相手と会話している期間とは異なり、家電機器を遠隔操作するための音声指示を入力するために必要とされる期間はあまり変動しない。したがって、第２動作モードに対して、一定の期間が割り当てられてもよい。この場合、設計者は、第２動作モードが自動的に終了するように、電話子機を設計してもよい。第７実施形態において、第２動作モードを自動的に終了させることができる電話子機が説明される。
【００７２】
図７は、第７実施形態の電話子機３００Ｃの概略的なブロック図である。図６及び図７を参照して、電話子機３００Ｃが説明される。第５実施形態及び第７実施形態の間で共通して用いられる符号は、当該共通の符号が付された要素が、第５実施形態と同一の機能を有することを意味する。したがって、第５実施形態の説明は、これらの要素に援用される。
【００７３】
第５実施形態と同様に、電話子機３００Ｃは、信号変換部３１０Ｂと、アンテナ部３３１と、電源ボタン３４０Ｂと、電力供給部３５０と、を含む。第５実施形態の説明は、これらの要素に援用される。
【００７４】
電話子機３００Ｃは、集積回路３２０Ｃを更に備える。第５実施形態と同様に、信号変換部３１０Ｂへ出力される信号に対する処理、信号変換部３１０Ｂから受け取った信号に対する処理、アンテナ部３３１を通じて出力される信号（ビット情報やストリーム）に対する処理やアンテナ部３３１を通じて受け取った信号に対する処理を行う。したがって、第５実施形態に関連して説明された信号処理に関する説明は、集積回路３２０Ｃに援用される。
【００７５】
第５実施形態と同様に、集積回路３２０Ｃは、符号化部３２２と、Ｉ／Ｏセクション３２３と、通信部３３２と、を含む。第５実施形態の説明は、これらの要素に援用される。
【００７６】
集積回路３２０Ｃは、制御部３２１Ｃと、タイマ３２４と、を含む。制御部３２１Ｃは、集積回路３２０Ｃの全体的な動作を制御する。したがって、符号化部３２２、Ｉ／Ｏセクション３２３、タイマ３２４及び通信部３３２は、制御部３２１Ｃの制御下で動作する。
【００７７】
第６実施形態に関連して説明された如く、時刻Ｔ１において、ユーザは、電源ボタン３４０Ｂを操作する。この結果、電話子機３００Ｃの動作モードは、第１動作モードから第２動作モードに切り替えられる。タイマ３２４には、所定の設定期間ＳＴＬが設定されている。設定期間ＳＴＬは、ユーザが、家電機器に対して音声指示を与えるのに十分な長さを有する。
【００７８】
電話子機３００Ｃは、時刻Ｔ１から設定期間ＳＴＬが経過するまで、第２動作モード（ミュートモード）で動作する。時刻Ｔ１から設定期間ＳＴＬ後の時刻Ｔ２において、タイマ３２４は、設定期間ＳＴＬの終了を通知する通知信号を生成する。通知信号は、タイマ３２４から制御部３２１Ｃへ出力される。
【００７９】
制御部３２１Ｃは、通知信号に応じて、通話ビット情報を生成する。通話ビット情報の生成と同期して、第２動作モード（ミュートモード）は終了し、電話子機３００Ｃの動作モードは、第２動作モードから第１動作モードに切り替えられる。通話ビット情報は、制御部３２１Ｃから符号化部３２２へ出力される。符号化部３２２は、通話ビット情報に応じて、通話ストリームを生成するための符号化処理を開始する。
【００８０】
＜第８実施形態＞
上述の様々な実施形態に関連して説明された技術は、家電機器を制御するための制御システムに好適に利用可能である。第８実施形態において、例示的な制御システムが説明される。
【００８１】
図８は、第８実施形態の制御システム４００の概念図である。図１、図４、図５乃至図８を参照して、制御システム４００が説明される。
【００８２】
制御システム４００は、コードレス電話機器１０１と、ＷｉＦｉルータ４１０と、クラウドサーバ４２０と、を備える。コードレス電話機器１０１は、図１を参照して説明されたコードレス電話機器１００に対応する。
【００８３】
コードレス電話機器１０１は、親機２０１と、２台の電話子機３０１，３０２と、を含む。電話子機３０１，３０２それぞれは、図５及び図７を参照して説明された電話子機３００Ｂ，３００Ｃの設計原理に基づいて設計されてもよい。
【００８４】
通話ビット情報、通話ストリーム、指示ビット情報及び指示ストリームは、ＤＥＣＴ規格に準拠したＴＤＤ−ＴＤＭＡ方式で、電話子機３０１，３０２それぞれから親機２０１へ送信される。親機２０１は、一般的なコードレス電話機器の親機としての機能だけでなく、ホームゲートウェイとしての機能をも有する。したがって、親機２０１は、固定電話回線網ＦＴＮ（一般的な固定電話用の回線網）だけでなく、ＷｉＦｉルータ４１０及び様々な家電機器を含む家電機器群ＡＰＧに接続される。
【００８５】
家電機器群ＡＰＧは、ユーザの音声指示に従って遠隔操作される複数の家電機器を含む。本実施形態において、家電機器群ＡＰＧは、２台の照明器具ＡＰ１，ＡＰ２、２台の空調機器ＡＰ３，ＡＰ４、テレビ装置ＡＰ５、ビデオ装置ＡＰ６、冷蔵庫ＡＰ７、電子レンズＡＰ８及び洗濯機ＡＰ９を含む。家電機器群ＡＰＧは、他の家電機器を含んでもよい。本実施形態の原理は、家電機器群ＡＰＧによっては何ら限定されない。
【００８６】
ＷｉＦｉルータ４１０は、Ｅｔｈｅｒｎｅｔ（登録商標）を通じて親機２０１に通信可能に接続される一方で、インターネット回線を通じて、クラウドサーバ４２０に通信可能に接続される。電話子機３０１，３０２のうち一方が第１動作モード（図６を参照）で動作している場合に、通話ビット情報及び通話ストリームは、電話子機３０１，３０２のうち一方から親機２０１へ送信される。親機２０１は、通話ビット情報を参照し、通話ストリームを、固定電話回線網を通じて通話相手に送ることを決定する。電話子機３０１，３０２のうち一方が第２動作モード（図６を参照）で動作している場合に、指示ビット情報及び指示ストリームは、電話子機３０１，３０２のうち一方から親機２０１へ送信される。親機２０１は、指示ビット情報を参照し、指示ストリームを、ＷｉＦｉルータ４１０及びインターネット回線を通じて、クラウドサーバ４２０へ送ることを決定する。
【００８７】
クラウドサーバ４２０は、認証部４２１と、音声認識部４２２と、対話部４２３と、操作コマンド生成部４２４と、対象機器データベース４２５と、操作履歴データベース４２６と、を含む。クラウドサーバ４２０は、コードレス電話機器１０１に関する情報を予め格納している。クラウドサーバ４２０が、指示ストリームを受け取ると、認証部４２１は、指示ストリームが、正規のコードレス電話機器から送信されたものであるか否かを判定する。したがって、家電機器群ＡＰＧに対する不正な遠隔操作は生じにくくなる。
【００８８】
その後、音声認識部４２２は、指示ストリームを復号し、ユーザからの音声指示を解析する。対象機器データベース４２５は、照明器具ＡＰ１，ＡＰ２、空調機器ＡＰ３，ＡＰ４、テレビ装置ＡＰ５、ビデオ装置ＡＰ６、冷蔵庫ＡＰ７、電子レンズＡＰ８及び洗濯機ＡＰ９に関する情報を予め格納する。音声認識部４２２は、対象機器データベース４２５を参照し、音声指示が指定する家電機器を見出す。加えて、音声認識部４２２は、音声指示から、ユーザが求める操作内容を見出す。
【００８９】
ユーザの音声指示が不鮮明であった場合に、音声認識部４２２は、対話部４２３を作動させてもよい。例えば、音声認識部４２２が、操作内容として、「起動」を判別する一方で、起動させる家電機器が判別できなかった場合に、音声認識部４２２は、対話部に、「どの家電機器を起動しますか？」とのメッセージを表すメッセージデータを生成させてもよい。メッセージデータは、インターネット回線、ＷｉＦｉルータ４１０及び親機２０１を通じて、ユーザが利用している電話子機（電話子機３０１，３０２のうち一方）に伝達される。この結果、スピーカ３１２（図５又は図７を参照）から、「どの家電機器を起動しますか？」とのメッセージ音が出力される。ユーザが、その後、マイクロフォン３１３を通じて、家電機器を指定する音声指示を入力した場合に、音声認識部４２２は、ユーザが求める遠隔操作の内容を適切に把握することができる。
【００９０】
ユーザは、電話子機３０１，３０２を操作し、対話式の入力をクラウドサーバ４２０に要求してもよい。この場合にも、音声認識部４２２は、対話部４２３と協働して、ユーザの音声指示を適切に把握することができる。
【００９１】
音声認識部４２２は、上述の音声認識処理の結果を操作コマンド生成部４２４へ出力する。操作コマンド生成部４２４は、音声認識処理の結果に基づいて、操作コマンドを生成する。
【００９２】
操作コマンド生成部４２４は、操作コマンドを生成するために、操作履歴データベース４２６を参照してもよい。ユーザが、家電機器群ＡＰＧの家電機器を操作すると、操作の内容は、操作された家電機器から、親機２０１、ＷｉＦｉルータ４１０及びインターネット回線を通じて、クラウドサーバ４２０へ届けられる。この結果、操作履歴データベース４２６は、操作の内容を格納することができる。操作コマンド生成部４２４によって生成された操作コマンドが、操作履歴データベース４２６に出力されてもよい。この結果、操作履歴データベース４２６は、操作の内容を格納することができる。
【００９３】
音声認識処理の結果が、「ユーザが、２８℃の温度設定での空調機器ＡＰ３の運転を求めている」ことを表している場合に、操作コマンド生成部４２４は、操作履歴データベース４２６を参照し、空調機器ＡＰ３が起動状態にあるか否かを判定してもよい。空調機器ＡＰ３が起動状態にある場合に、操作コマンド生成部４２４は、温度を２８℃に設定するための操作コマンドを生成する。空調機器ＡＰ３が起動状態にない場合に、操作コマンド生成部４２４は、空調機器ＡＰ３を起動状態にする操作コマンドと、温度を２８℃に設定するための操作コマンドと、を生成する。
【００９４】
操作コマンドは、操作コマンド生成部４２４からＷｉＦｉルータ４１０へ出力される。その後、操作コマンドは、親機２０１を通じて、ＷｉＦｉルータ４１０からユーザの音声指示によって指定された家電機器へ出力される。操作コマンドを受け取った家電機器は、ユーザの音声指示によって指定された動作を実行する。
【００９５】
＜第９実施形態＞
第５実施形態乃至第７実施形態に関連して説明された電話子機の動作モードは、電話子機への簡単な操作によって切り替えられる。したがって、家電機器を適切に遠隔操作する能力を有さない者（たとえば、幼い子供）が、家電機器を誤って操作することもある。
【００９６】
設計者は、上述の様々な実施形態の原理に基づいて、親機に通信可能に接続される子機をウェアラブル端末として設計することができる。この場合、ユーザは、ウェアラブル端末を身体部位から取り外すことができる。ユーザが、身体部位から取り外されたウェアラブル端末を放置した場合に、第三者が、ウェアラブル端末を拾得することもある。第三者が、ウェアラブル端末を操作した場合に、家電機器は、望ましくない動作を行うこともある。
【００９７】
上述の課題を鑑みて、親機に通信可能に接続される子機は、真のユーザによってのみ動作することが好ましい。第９実施形態において、真のユーザを見極めるための認証機能を有するウェアラブル端末が説明される。
【００９８】
図９は、第９実施形態のウェアラブル端末３００Ｄの概略的なブロック図である。図９を参照して、ウェアラブル端末３００Ｄが説明される。第７実施形態及び第９実施形態の間で共通して用いられる符号は、当該共通の符号が付された要素が、第７実施形態と同一の機能を有することを意味する。したがって、第７実施形態の説明は、これらの要素に援用される。
【００９９】
ウェアラブル端末３００Ｄが、ユーザの手首に装着されるように、設計者は、ウェアラブル端末３００Ｄを設計してもよい。この場合、設計者は、ウェアラブル端末３００Ｄが腕時計やバングルのように見えるように、ウェアラブル端末３００Ｄの意匠を決定してもよい。ウェアラブル端末３００Ｄが、ユーザの指に装着されるように、設計者は、ウェアラブル端末３００Ｄを設計してもよい。この場合、設計者は、ウェアラブル端末３００Ｄが指輪のように見えるように、ウェアラブル端末３００Ｄの意匠を決定してもよい。ウェアラブル端末３００Ｄが、ユーザの首から下げられるように、設計者は、ウェアラブル端末３００Ｄを設計してもよい。この場合、設計者は、ウェアラブル端末３００Ｄがペンダント或いはネックレスのように見えるように、ウェアラブル端末３００Ｄの意匠を決定してもよい。本実施形態の原理は、ウェアラブル端末３００Ｄの特定の装着位置や特定の意匠に限定されない。
【０１００】
第７実施形態と同様に、ウェアラブル端末３００Ｄは、アンテナ部３３１と、電源ボタン３４０Ｂと、電力供給部３５０と、を含む。第７実施形態の説明は、これらの要素に援用される。
【０１０１】
ウェアラブル端末３００Ｄは、信号変換部３１０Ｄと、集積回路３２０Ｄと、を更に備える。第７実施形態と同様に、集積回路３２０Ｄは、通話相手の電話機との接続のための信号処理、第１動作モードと第２動作モードとの間での動作モードの切替のための信号処理やビット情報及びストリームの生成のための信号処理といった様々な信号処理を司る。第７実施形態に関連して説明された信号処理の技術は、集積回路３２０Ｄに適用される。
【０１０２】
信号変換部３１０Ｄは、集積回路３２０Ｄから出力された信号を音声や画像に変換する。加えて、信号変換部３１０Ｄは、ユーザの操作や音声を電気信号に変換する。
【０１０３】
第７実施形態と同様に、信号変換部３１０Ｄは、マイクロフォン３１３と、スピーカ３１２と、を含む。第７実施形態の説明は、これらの要素に援用される。
【０１０４】
スピーカ３１２及びマイクロフォン３１３は、ウェアラブル端末３００Ｄとは別異の装置（たとえば、ヘッドホン、Ｂｌｕｅｔｏｏｔｈ（登録商標）ハンズフリーマイクやＢｌｕｅｔｏｏｔｈ（登録商標）ヘッドセット）によって代替されてもよい。したがって、スピーカ３１２及びマイクロフォン３１３は、信号変換部３１０Ｄから排除されてもよい。
【０１０５】
信号変換部３１０Ｄは、タッチパネル３１１Ｄと、ディスプレイ３１４と、を更に備える。ユーザは、タッチパネル３１１Ｄを操作し、通話相手の電話番号を入力してもよい。入力された電話番号は、電気信号として集積回路３２０Ｄへ出力される。集積回路３２０Ｄは、電話番号を表す電気信号を処理し、電話番号を表す電波をアンテナ部３３１から親機へ送信する。
【０１０６】
ディスプレイ３１４は、集積回路３２０Ｄからの信号に応じて、様々な画像を表示する。ユーザが、タッチパネル３１１Ｄを操作し、通話相手の電話番号を入力した場合に、集積回路３２０Ｄは、入力された数字を表す画像データを生成してもよい。画像データは、集積回路３２０Ｄからディスプレイ３１４へ出力される。ディスプレイ３１４は、画像データに応じて、ユーザがタッチパネル３１１Ｄに入力した数字を表示する。この結果、ユーザは、入力された電話番号が正しいか否かを視覚的に確認することができる。
【０１０７】
第７実施形態と同様に、集積回路３２０Ｄは、符号化部３２２と、Ｉ／Ｏセクション３２３と、タイマ３２４と、通信部３３２と、を含む。第７実施形態の説明は、これらの要素に援用される。
【０１０８】
集積回路３２０Ｄは、制御部３２１Ｄと、記憶部３２５と、認証部３２６と、を更に含む。制御部３２１Ｄは、集積回路３２０Ｄ内でのデータ処理に関する制御を全体的に実行する。したがって、Ｉ／Ｏセクション３２３、タイマ３２４、記憶部３２５、認証部３２６、符号化部３２２及び通信部３３２は、制御部３２１Ｄの制御下で動作する。
【０１０９】
制御部３２１Ｄは、パスワードの入力を要求するための画像データを生成してもよい。画像データは、制御部３２１Ｄから、Ｉ／Ｏセクション３２３を通じて、ディスプレイ３１４へ出力される。この結果、ディスプレイ３１４は、パスワードの入力を要求するための画像を表示する。
【０１１０】
ユーザは、ディスプレイ３１４上のパスワード要求画像に応じて、タッチパネル３１１Ｄを操作し、パスワードを入力する。入力されたパスワードを表す認証情報は、タッチパネル３１１ＤからＩ／Ｏセクション３２３へ出力される。Ｉ／Ｏセクション３２３は、制御部３２１Ｄの制御下で、認証情報を認証部３２６へ出力する。
【０１１１】
記憶部３２５は、ユーザが予め設定したパスワードを記憶している。認証情報を受け取った認証部３２６は、記憶部３２５からパスワードを読み出す。認証部３２６は、その後、認証情報を、読み出されたパスワードと比較する。
【０１１２】
認証情報が、読み出されたパスワードに合致した場合に、認証部３２６は、認証が成功裏に完了したことを制御部３２１Ｄへ通知する。制御部３２１Ｄは、その後、認証が完了したことを表す画像データを生成してもよい。画像データは、制御部３２１Ｄから、Ｉ／Ｏセクション３２３を通じて、ディスプレイ３１４に出力される。この結果、ディスプレイ３１４は、認証処理が成功裏に完了したことを表す画像を表示する。
【０１１３】
認証情報が、読み出されたパスワードに合致しなかった場合に、認証部３２６は、認証が失敗したことを制御部３２１Ｄへ通知する。制御部３２１Ｄは、その後、パスワードの再入力及び／又は認証の中断を促すための画像データを生成してもよい。画像データは、制御部３２１Ｄから、Ｉ／Ｏセクション３２３を通じて、ディスプレイ３１４に出力される。この結果、ディスプレイ３１４は、パスワードの再入力及び／又は認証の中断を促す画像を表示する。ユーザは、表示された画像に応じて、タッチパネル３１１Ｄを操作し、パスワードを再度入力する。あるいは、ユーザは、表示された画像に応じて、タッチパネル３１１Ｄを操作し、認証処理の中断を、ウェアラブル端末３００Ｄに要求する。タッチパネル３１１Ｄを通じて入力された中断処理の要求は、Ｉ／Ｏセクション３２３を通じて、タッチパネル３１１Ｄから制御部３２１Ｄへ出力される。中断処理の要求を受け取った制御部３２１Ｄは、Ｉ／Ｏセクション３２３に、マイクロフォン３１３からの電気信号を遮断させてもよい。この結果、パスワードを知らない者による遠隔操作は防止される。
【０１１４】
認証処理が成功裏に完了した場合に、認証結果は、ウェアラブル端末３００Ｄが取り外されるまで保持されてもよい。代替的に、上述の認証処理は、ウェアラブル端末３００Ｄが操作されるたびに実行されてもよい。更に代替的に、上述の認証処理は、他のタイミングで実行されてもよい。本実施形態の原理は、認証処理が実行される特定のタイミングに限定されない。
【０１１５】
＜第１０実施形態＞
第９実施形態に関連して説明された技術は、家電機器を制御するための制御システムに好適に利用可能である。第１０実施形態において、例示的な制御システムが説明される。
【０１１６】
図１０は、第１０実施形態の制御システム４０１の概念図である。図１、図６、図９及び図１０を参照して、制御システム４０１が説明される。第８実施形態及び第１０実施形態の間で共通して用いられる符号は、当該共通の符号が付された要素が、第８実施形態と同一の機能を有することを意味する。したがって、第８実施形態の説明は、これらの要素に援用される。
【０１１７】
第８実施形態と同様に、制御システム４０１は、ＷｉＦｉルータ４１０と、クラウドサーバ４２０と、を備える。第８実施形態の説明は、これらの要素に援用される。
【０１１８】
制御システム４０１は、コードレス電話機器１０２を更に備える。コードレス電話機器１０２は、図１を参照して説明されたコードレス電話機器１００に対応する。
【０１１９】
コードレス電話機器１０２は、親機２０１と、２台のウェアラブル端末３０３，３０４と、を含む。ウェアラブル端末３０３，３０４それぞれは、図９を参照して説明されたウェアラブル端末３００Ｄの設計原理に基づいて設計されてもよい。
【０１２０】
ウェアラブル端末３０３は、ユーザの手首に装着される。ウェアラブル端末３０３は、腕時計のように見えてもよい。
【０１２１】
ウェアラブル端末３０４は、ユーザの首から下げられる。ウェアラブル端末３０４は、ペンダントのように見えてもよい。
【０１２２】
通話ビット情報、通話ストリーム、指示ビット情報及び指示ストリームは、ＤＥＣＴ規格に準拠したＴＤＤ−ＴＤＭＡ方式で、ウェアラブル端末３０３，３０４それぞれから親機２０１へ送信される。ウェアラブル端末３０３，３０４のうち一方が第１動作モード（図６を参照）で動作している場合に、通話ビット情報及び通話ストリームは、ウェアラブル端末３０３，３０４のうち一方から親機２０１へ送信される。親機２０１は、通話ビット情報を参照し、通話ストリームを、固定電話回線網を通じて通話相手に送ることを決定する。ウェアラブル端末３０３，３０４のうち一方が第２動作モード（図６を参照）で動作している場合に、指示ビット情報及び指示ストリームは、ウェアラブル端末３０３，３０４のうち一方から親機２０１へ送信される。親機２０１は、指示ビット情報を参照し、指示ストリームを、ＷｉＦｉルータ４１０及びインターネット回線を通じて、クラウドサーバ４２０へ送ることを決定する。したがって、ユーザは、ウェアラブル端末３０３，３０４を用いて、家電機器群ＡＰＧに対する遠隔操作と、通話相手との会話と、を選択的に行うことができる。
【０１２３】
＜第１１実施形態＞
制御システムは、スマートホンを有してもよい。第１１実施形態において、スマートホンを有する例示的な制御システムが説明される。
【０１２４】
図１１は、第１１実施形態の制御システム４０２の概念図である。図１及び図１１を参照して、制御システム４０２が説明される。第８実施形態、第１０実施形態及び第１１実施形態の間で共通して用いられる符号は、当該共通の符号が付された要素が、第８実施形態及び／又は第１０実施形態と同一の機能を有することを意味する。したがって、第８実施形態及び／又は第１０実施形態の説明は、これらの要素に援用される。
【０１２５】
第１０実施形態と同様に、制御システム４０２は、ＷｉＦｉルータ４１０と、クラウドサーバ４２０と、を備える。第１０実施形態の説明は、これらの要素に援用される。
【０１２６】
制御システム４０２は、コードレス電話機器１０３と、スマートホン４３０と、を更に備える。コードレス電話機器１０３は、図１を参照して説明されたコードレス電話機器１００に対応する。
【０１２７】
コードレス電話機器１０３は、親機２０１と、電話子機３０１と、２台のウェアラブル端末３０３，３０４と、を含む。第８実施形態の説明は、親機２０１及び電話子機３０１に援用される。第１０実施形態の説明は、ウェアラブル端末３０３，３０４に援用される。したがって、通話ビット情報、通話ストリーム、指示ビット情報及び指示ストリームは、ＤＥＣＴ規格に準拠したＴＤＤ−ＴＤＭＡ方式で、電話子機３０１、ウェアラブル端末３０３，３０４それぞれから親機２０１へ送信される。
【０１２８】
スマートホン４３０は、ＷｉＦｉ通信技術によって、親機２０１に接続される。加えて、スマートホン４３０は、携帯電話回線網ＭＴＮに接続される。スマートホン４３０と携帯電話回線網ＭＴＮとの間の通信接続は、ＬＴＥやＷ−ＣＤＭＡといった広域回線技術に基づいてもよい。
【０１２９】
スマートホン４３０に通話相手からの着信があったとき、スマートホン４３０への着信を通知する通知信号は、親機２０１を通じて、ウェアラブル端末３０３，３０４に通知される。ユーザは、スマートホン４３０及びウェアラブル端末３０３，３０４のうち１つを用いて、通信相手に応答することができる。スマートホン４３０が、鞄の中に収容するときにおいても、ユーザは、スマートホン４３０を鞄から取り出すことなく、ウェアラブル端末３０３，３０４を用いて、通話相手に応答することができる。
【０１３０】
＜第１２実施形態＞
ユーザが、スマートホンを操作し、家電機器を操作することを、制御システムが許容することは、スマートホンを使い慣れたユーザにとって便利である。第１２実施形態において、ユーザがスマートホンを操作し、家電機器を操作することを許容する例示的な制御システムが説明される。
【０１３１】
図１２は、第１２実施形態の制御システム４０２Ｅの概念図である。図１、図１２を参照して、制御システム４０２Ｅが説明される。第１１実施形態及び第１２実施形態の間で共通して用いられる符号は、当該共通の符号が付された要素が、第１１実施形態と同一の機能を有することを意味する。したがって、第１１実施形態の説明は、これらの要素に援用される。
【０１３２】
第１１実施形態と同様に、制御システム４０２Ｅは、コードレス電話機器１０３と、ＷｉＦｉルータ４１０と、クラウドサーバ４２０と、を備える。第１１実施形態の説明は、これらの要素に援用される。
【０１３３】
制御システム４０２Ｅは、スマートホン４３０Ｅを更に備える。スマートホン４３０Ｅは、クラウドサーバ４２０に接続される。スマートホン４３０Ｅとクラウドサーバ４２０との間の通信接続は、３ＧやＬＴＥといった広域回線技術に基づいてもよい。
【０１３４】
スマートホン４３０Ｅには、家電機器群ＡＰＧを遠隔操作するためのアプリケーションプログラムがダウンロードされている。ユーザは、スマートホン４３０Ｅに音声指示を与える。スマートホン４３０Ｅは、音声指示を表す電波を生成する。電波は、スマートホン４３０Ｅからクラウドサーバ４２０に伝達される。
【０１３５】
クラウドサーバ４２０は、その後、第８実施形態に関連して説明された技術に基づいて、操作コマンドを生成する。操作コマンドは、最終的に、音声指示によって指定された家電機器に伝達される。この結果、ユーザは、スマートホン４３０Ｅを用いて、家電機器を適切に遠隔操作することができる。
【０１３６】
＜第１３実施形態＞
ウェアラブル端末は、様々な通信環境の下で使用される。第１３実施形態において、様々な通信環境の下で使用可能なウェアラブル端末が説明される。尚、第１３実施形態に関連して説明される技術は、電話子機に適用されてもよい。
【０１３７】
図１３は、第１３実施形態のウェアラブル端末３００Ｆの概略的なブロック図である。図１、図９及び図１３を参照して、ウェアラブル端末３００Ｆが説明される。第９実施形態及び第１３実施形態の間で共通して用いられる符号は、当該共通の符号が付された要素が、第９実施形態と同一の機能を有することを意味する。したがって、第９実施形態の説明は、これらの要素に援用される。
【０１３８】
ウェアラブル端末３００Ｆが、ユーザの手首に装着されるように、設計者は、ウェアラブル端末３００Ｆを設計してもよい。この場合、設計者は、ウェアラブル端末３００Ｆが腕時計やバングルのように見えるように、ウェアラブル端末３００Ｆの意匠を決定してもよい。ウェアラブル端末３００Ｆが、ユーザの指に装着されるように、設計者は、ウェアラブル端末３００Ｆを設計してもよい。この場合、設計者は、ウェアラブル端末３００Ｆが指輪のように見えるように、ウェアラブル端末３００Ｆの意匠を決定してもよい。ウェアラブル端末３００Ｆが、ユーザの首から下げられるように、設計者は、ウェアラブル端末３００Ｆを設計してもよい。この場合、設計者は、ウェアラブル端末３００Ｆがペンダント或いはネックレスのように見えるように、ウェアラブル端末３００Ｆの意匠を決定してもよい。本実施形態の原理は、ウェアラブル端末３００Ｆの特定の装着位置や特定の意匠に限定されない。
【０１３９】
第９実施形態と同様に、ウェアラブル端末３００Ｆは、信号変換部３１０Ｄと、アンテナ部３３１と、電源ボタン３４０Ｂと、電力供給部３５０と、を含む。第９実施形態の説明は、これらの要素に援用される。
【０１４０】
ウェアラブル端末３００Ｆは、集積回路３２０Ｆを更に備える。第９実施形態と同様に、集積回路３２０Ｆは、通話相手の電話機との接続のための信号処理、第１動作モードと第２動作モードとの間での動作モードの切替のための信号処理やビット情報、ストリームの生成のための信号処理及びユーザの認証処理といった様々な信号処理を司る。第９実施形態に関連して説明された信号処理の技術は、集積回路３２０Ｆに適用される。
【０１４１】
第９実施形態と同様に、集積回路３２０Ｆは、符号化部３２２と、Ｉ／Ｏセクション３２３と、タイマ３２４と、記憶部３２５と、認証部３２６と、を含む。第９実施形態の説明は、これらの要素に援用される。
【０１４２】
集積回路３２０Ｆは、制御部３２１Ｆと、通信部３３２Ｆと、を更に含む。制御部３２１Ｆは、集積回路３２０Ｆ内でのデータ処理に関する制御を全体的に実行する。したがって、Ｉ／Ｏセクション３２３、タイマ３２４、記憶部３２５、認証部３２６、符号化部３２２及び通信部３３２Ｆは、制御部３２１Ｆの制御下で動作する。
【０１４３】
通信部３３２Ｆは、制御部３２１Ｆの制御下で、指示ビット情報、指示ストリーム、通話ビット情報及び通話ストリームをアンテナ部３３１から送信する。したがって、通信部３３２Ｆ及びアンテナ部３３１は、図１を参照して説明された送信部３３０に対応する。
【０１４４】
通信部３３２Ｆは、第１通信部３３３と、第２通信部３３４と、を含む。制御部３２１Ｆは、指示ビット情報、指示ストリーム、通話ビット情報及び通話ストリームの送信に用いられる通信素子として、第１通信部３３３及び第２通信部３３４のうち一方を選択する。
【０１４５】
制御部３２１Ｆが、第１通信部３３３を指定すると、指示ビット情報、指示ストリーム、通話ビット情報及び通話ストリームは、ＤＥＣＴ規格に準拠したＴＤＤ−ＴＤＭＡ方式を通じて、親機へ送信される。したがって、第１通信部３３３は、図９を参照して説明された通信部３３２に対応する。
【０１４６】
制御部３２１Ｆが、第２通信部３３４を指定すると、指示ビット情報、指示ストリーム、通話ビット情報及び通話ストリームは、Ｂｌｕｅｔｏｏｔｈ（登録商標）といった短距離の無線技術に基づいて送信される。
【０１４７】
ユーザは、タッチパネル３１１Ｄを操作し、集積回路３２０Ｆに、通信方式を選択するための画像表示を要求してもよい。制御部３２１Ｆは、ユーザからの要求に応じて、通信方式を選択するための画像を表す画像データを生成する。画像データは、Ｉ／Ｏセクション３２３を通じて、制御部３２１Ｆからディスプレイ３１４へ出力される。この結果、ディスプレイ３１４は、通信方式を選択するための画像を表示する。
【０１４８】
ユーザは、タッチパネル３１１Ｄを操作し、第１通信部３３３及び第２通信部３３４のうち１つを選択する。タッチパネル３１１Ｄは、ユーザの選択を表す選択信号を生成する。選択信号は、Ｉ／Ｏセクション３２３を通じて、タッチパネル３１１Ｄから制御部３２１Ｆへ出力される。制御部３２１Ｆは、選択信号に応じて、第１通信部３３３及び第２通信部３３４のうち一方を指定する。
【０１４９】
制御部３２１Ｆは、アンテナ部３３１が受信した電波を参照して、ウェアラブル端末３００Ｆの通信環境を判定してもよい。この場合、制御部３２１Ｆは、通信環境を鑑みて、第１通信部３３３及び第２通信部３３４のうち１つを選択してもよい。本実施形態の原理は、第１通信部３３３及び第２通信部３３４のうち１つを選択するための特定の方法に限定されない。
【０１５０】
＜第１４実施形態＞
第１３実施形態に関連して説明された技術は、家電機器を制御するための制御システムに好適に利用可能である。第１４実施形態において、例示的な制御システムが説明される。
【０１５１】
図１４は、第１４実施形態の制御システム４００Ｆの概念図である。図１、図１３及び図１４を参照して、制御システム４００Ｆが説明される。第８実施形態及び第１４実施形態の間で共通して用いられる符号は、当該共通の符号が付された要素が、第８実施形態と同一の機能を有することを意味する。したがって、第８実施形態の説明は、これらの要素に援用される。
【０１５２】
第８実施形態と同様に、制御システム４００Ｆは、ＷｉＦｉルータ４１０と、クラウドサーバ４２０と、を備える。第８実施形態の説明は、これらの要素に援用される。
【０１５３】
制御システム４００Ｆは、コードレス電話機器１０２Ｆを更に備える。コードレス電話機器１０２Ｆは、図１を参照して説明されたコードレス電話機器１００に対応する。
【０１５４】
コードレス電話機器１０２Ｆは、親機２０１と、電話子機３０１と、ウェアラブル端末３００Ｆと、を含む。第８実施形態の説明は、親機２０１及び電話子機３０１に援用される。
【０１５５】
図１４は、ユーザの家の中におけるウェアラブル端末３００Ｆの使用環境を示す。第１３実施形態に関連して説明された如く、ユーザは、タッチパネル３１１Ｄを操作し、第１通信部３３３を指定する。この結果、通話ビット情報、通話ストリーム、指示ビット情報及び指示ストリームは、ＤＥＣＴ規格に準拠したＴＤＤ−ＴＤＭＡ方式で、ウェアラブル端末３００Ｆから親機２０１へ送信される。
【０１５６】
図１５は、ユーザの家の外におけるウェアラブル端末３００Ｆの使用環境を示す概念図である。図１３乃至図１５を参照して、通信技術の切替が説明される。
【０１５７】
ユーザは、スマートホンＳＭＰを携えて、外出している。スマートホンＳＭＰには、ウェアラブル端末３００Ｆとクラウドサーバ４２０との間で、指示ストリームを中継するためのアプリケーションプログラムがダウンロードされている。スマートホンＳＭＰは、３ＧやＬＴＥといった広域回線を通じて、クラウドサーバ４２０に接続される。
【０１５８】
ユーザは、ウェアラブル端末３００Ｆを装着しているので、ウェアラブル端末３００ＦからスマートホンＳＭＰまでの距離は、ウェアラブル端末３００ＦとスマートホンＳＭＰとの間でＢｌｕｅｔｏｏｔｈ（登録商標）通信を行うのに十分に短い。第１３実施形態に関連して説明された如く、ユーザは、タッチパネル３１１Ｄを操作し、第２通信部３３４を指定する。この結果、通話ビット情報、通話ストリーム、指示ビット情報及び指示ストリームは、Ｂｌｕｅｔｏｏｔｈ（登録商標）通信技術の下で、スマートホンＳＭＰへ送信される。スマートホンＳＭＰは、上述の広域回線を通じて、指示ストリームをクラウドサーバ４２０に届けることができる。
【０１５９】
ユーザは、家の中でも、第２通信部３３４を指定してもよい。しかしながら、ユーザが、遠距離の通信を望む場合に、第２通信部３３４よりも第１通信部３３３が選択される方が好ましい。
【０１６０】
＜第１５実施形態＞
ウェアラブル端末は、様々な通信環境の下で使用される。第１５実施形態において、様々な通信環境の下で使用可能なウェアラブル端末が説明される。尚、第１５実施形態に関連して説明される技術は、電話子機に適用されてもよい。
【０１６１】
図１６は、第１５実施形態のウェアラブル端末３００Ｇの概略的なブロック図である。図１及び図１６を参照して、ウェアラブル端末３００Ｇが説明される。第１３実施形態及び第１５実施形態の間で共通して用いられる符号は、当該共通の符号が付された要素が、第１３実施形態と同一の機能を有することを意味する。したがって、第１３実施形態の説明は、これらの要素に援用される。
【０１６２】
ウェアラブル端末３００Ｇが、ユーザの手首に装着されるように、設計者は、ウェアラブル端末３００Ｇを設計してもよい。この場合、設計者は、ウェアラブル端末３００Ｇが腕時計やバングルのように見えるように、ウェアラブル端末３００Ｇの意匠を決定してもよい。ウェアラブル端末３００Ｇが、ユーザの指に装着されるように、設計者は、ウェアラブル端末３００Ｇを設計してもよい。この場合、設計者は、ウェアラブル端末３００Ｇが指輪のように見えるように、ウェアラブル端末３００Ｇの意匠を決定してもよい。ウェアラブル端末３００Ｇが、ユーザの首から下げられるように、設計者は、ウェアラブル端末３００Ｇを設計してもよい。この場合、設計者は、ウェアラブル端末３００Ｇがペンダント或いはネックレスのように見えるように、ウェアラブル端末３００Ｇの意匠を決定してもよい。本実施形態の原理は、ウェアラブル端末３００Ｇの特定の装着位置や特定の意匠に限定されない。
【０１６３】
第１３実施形態と同様に、ウェアラブル端末３００Ｇは、信号変換部３１０Ｄと、アンテナ部３３１と、電源ボタン３４０Ｂと、電力供給部３５０と、を含む。第１３実施形態の説明は、これらの要素に援用される。
【０１６４】
ウェアラブル端末３００Ｇは、集積回路３２０Ｇを更に備える。第１３実施形態と同様に、集積回路３２０Ｇは、通話相手の電話機との接続のための信号処理、第１動作モードと第２動作モードとの間での動作モードの切替のための信号処理やビット情報、ストリームの生成のための信号処理及びユーザの認証処理といった様々な信号処理を司る。第１３実施形態に関連して説明された信号処理の技術は、集積回路３２０Ｇに適用される。
【０１６５】
第１３実施形態と同様に、集積回路３２０Ｇは、符号化部３２２と、Ｉ／Ｏセクション３２３と、タイマ３２４と、記憶部３２５と、認証部３２６と、を含む。第１３実施形態の説明は、これらの要素に援用される。
【０１６６】
集積回路３２０Ｇは、制御部３２１Ｇと、通信部３３２Ｇと、を更に含む。制御部３２１Ｇは、集積回路３２０Ｇ内でのデータ処理に関する制御を全体的に実行する。したがって、Ｉ／Ｏセクション３２３、タイマ３２４、記憶部３２５、認証部３２６、符号化部３２２及び通信部３３２Ｇは、制御部３２１Ｇの制御下で動作する。
【０１６７】
通信部３３２Ｇは、制御部３２１Ｇの制御下で、指示ビット情報、指示ストリーム、通話ビット情報及び通話ストリームをアンテナ部３３１から送信する。したがって、通信部３３２Ｇ及びアンテナ部３３１は、図１を参照して説明された送信部３３０に対応する。
【０１６８】
第１３実施形態と同様に、通信部３３２Ｇは、第１通信部３３３と、第２通信部３３４と、を含む。第１３実施形態の説明は、これらの要素に援用される。
【０１６９】
通信部３３２Ｇは、第３通信部３３５を更に含む。制御部３２１Ｇは、指示ビット情報、指示ストリーム、通話ビット情報及び通話ストリームの送信に用いられる通信素子として、第１通信部３３３、第２通信部３３４及び第３通信部３３５のうち１つを選択する。
【０１７０】
制御部３２１Ｇが、第１通信部３３３を指定すると、指示ビット情報、指示ストリーム、通話ビット情報及び通話ストリームは、ＤＥＣＴ規格に準拠したＴＤＤ−ＴＤＭＡ方式を通じて、親機へ送信される。
【０１７１】
制御部３２１Ｇが、第２通信部３３４を指定すると、指示ビット情報、指示ストリーム、通話ビット情報及び通話ストリームは、Ｂｌｕｅｔｏｏｔｈ（登録商標）といった短距離の無線技術に基づいて送信される。
【０１７２】
制御部３２１Ｇが、第３通信部３３５を指定すると、指示ビット情報、指示ストリーム、通話ビット情報及び通話ストリームは、３Ｇといった長距離の無線技術に基づいて送信される。
【０１７３】
ユーザは、タッチパネル３１１Ｄを操作し、集積回路３２０Ｇに、通信方式を選択するための画像表示を要求してもよい。制御部３２１Ｇは、ユーザからの要求に応じて、通信方式を選択するための画像を表す画像データを生成する。画像データは、Ｉ／Ｏセクション３２３を通じて、制御部３２１Ｇからディスプレイ３１４へ出力される。この結果、ディスプレイ３１４は、通信方式を選択するための画像を表示する。
【０１７４】
ユーザは、タッチパネル３１１Ｄを操作し、第１通信部３３３乃至第３通信部３３５のうち１つを選択する。タッチパネル３１１Ｄは、ユーザの選択を表す選択信号を生成する。選択信号は、Ｉ／Ｏセクション３２３を通じて、タッチパネル３１１Ｄから制御部３２１Ｇへ出力される。制御部３２１Ｇは、選択信号に応じて、第１通信部３３３乃至第３通信部３３５のうち１つを指定する。
【０１７５】
制御部３２１Ｇは、アンテナ部３３１が受信した電波を参照して、ウェアラブル端末３００Ｇの通信環境を判定してもよい。この場合、制御部３２１Ｇは、通信環境を鑑みて、第１通信部３３３乃至第３通信部３３５のうち１つを選択してもよい。本実施形態の原理は、第１通信部３３３乃至第３通信部３３５のうち１つを選択するための特定の方法に限定されない。
【０１７６】
＜第１６実施形態＞
第１５実施形態に関連して説明された技術は、家電機器を制御するための制御システムに好適に利用可能である。第１６実施形態において、例示的な制御システムが説明される。
【０１７７】
図１７は、第１６実施形態の制御システム４００Ｇの概念図である。図１、図１６及び図１７を参照して、制御システム４００Ｇが説明される。第１４実施形態及び第１６実施形態の間で共通して用いられる符号は、当該共通の符号が付された要素が、第１４実施形態と同一の機能を有することを意味する。したがって、第１４実施形態の説明は、これらの要素に援用される。
【０１７８】
第１４実施形態と同様に、制御システム４００Ｇは、ＷｉＦｉルータ４１０と、クラウドサーバ４２０と、を備える。第１４実施形態の説明は、これらの要素に援用される。
【０１７９】
制御システム４００Ｇは、コードレス電話機器１０２Ｇを更に備える。コードレス電話機器１０２Ｇは、図１を参照して説明されたコードレス電話機器１００に対応する。
【０１８０】
コードレス電話機器１０２Ｇは、親機２０１と、電話子機３０１と、ウェアラブル端末３００Ｇと、を含む。第１４実施形態の説明は、親機２０１及び電話子機３０１に援用される。
【０１８１】
図１７は、ユーザの家の中におけるウェアラブル端末３００Ｇの使用環境を示す。第１５実施形態に関連して説明された如く、ユーザは、タッチパネル３１１Ｄを操作し、第１通信部３３３を指定する。この結果、通話ビット情報、通話ストリーム、指示ビット情報及び指示ストリームは、ＤＥＣＴ規格に準拠したＴＤＤ−ＴＤＭＡ方式で、ウェアラブル端末３００Ｇから親機２０１へ送信される。
【０１８２】
図１８Ａ及び図１８Ｂは、ユーザの家の外におけるウェアラブル端末３００Ｇの使用環境を示す概念図である。図１６乃至図１８Ａを参照して、通信技術の切替が説明される。
【０１８３】
図１８Ａに示される使用環境において、ユーザは、スマートホンＳＭＰを携えて、外出している。ユーザは、ウェアラブル端末３００Ｇを装着しているので、ウェアラブル端末３００ＧからスマートホンＳＭＰまでの距離は、ウェアラブル端末３００ＧとスマートホンＳＭＰとの間でＢｌｕｅｔｏｏｔｈ（登録商標）通信を行うのに十分に短い。第１５実施形態に関連して説明された如く、ユーザは、タッチパネル３１１Ｄを操作し、第２通信部３３４を指定する。この結果、通話ビット情報、通話ストリーム、指示ビット情報及び指示ストリームは、Ｂｌｕｅｔｏｏｔｈ（登録商標）通信技術の下で、スマートホンＳＭＰへ送信される。スマートホンＳＭＰは、上述の広域回線を通じて、指示ストリームをクラウドサーバ４２０に届けることができる。
【０１８４】
図１８Ｂに示される使用環境において、ユーザは、スマートホンＳＭＰを携えることなく、外出している。この場合、ユーザは、タッチパネル３１１Ｄを操作し、第３通信部３３５を指定する。この結果、通話ビット情報、通話ストリーム、指示ストリームは、３Ｇ通信技術の下で、クラウドサーバ４２０へ送信される。
【０１８５】
＜第１７実施形態＞
コードレス電話機器の親機は、子機から受け取ったストリームをそのままサーバや通話相手へ転送してもよい。代替的に、親機は、子機から受け取ったストリームを復号し、且つ、再符号化してもよい。第１７実施形態において、子機から受け取ったストリームを復号し、且つ、再符号化する親機を有するコードレス電話機器が説明される。
【０１８６】
図１９は、第１７実施形態のコードレス電話機器１００Ｈの概略的なブロック図である。図１９を参照して、コードレス電話機器１００Ｈが説明される。第１実施形態及び第１７実施形態の間で共通して用いられる符号は、当該共通の符号が付された要素が、第１実施形態と同一の機能を有することを意味する。したがって、第１実施形態の説明は、これらの要素に援用される。
【０１８７】
第１実施形態と同様に、コードレス電話機器１００Ｈは、子機３００を備える。第１実施形態の説明は、子機３００に援用される。
【０１８８】
コードレス電話機器１００Ｈは、親機２００Ｈを更に備える。親機２００Ｈは、生成部２１０と、送信部２２０と、を含む。子機３００が生成した指示ビット情報、指示ストリーム、通話ビット情報及び通話ストリームは、符号化された信号として、生成部２１０に伝達される。
【０１８９】
生成部２１０は、子機３００から符号化された信号を受け取ると、生成部２１０は、信号を復号する。生成部２１０は、その後、信号が、指示ビット情報を含むか、通話ビット情報を含むか、を判定する。信号が、指示ビット情報を含んでいる場合に、生成部２１０は、指示ストリームを再符号化する。信号が通話ビット情報を含んでいる場合に、生成部２１０は、通話ストリームを再符号化する。本実施形態において、第２生成部は、生成部２１０によって例示される。第２指示ストリームは、生成部２１０が再符号化した指示ストリームによって例示される。第２通話ストリームは、生成部２１０が再符号化した通話ストリームによって例示される。
【０１９０】
再符号化された指示ストリームは、生成部２１０から送信部２２０へ出力される。送信部２２０は、指示ストリームをサーバＳＶＲへ送信する。サーバＳＶＲは、指示ストリームの受信に応じて、家電機器ＡＰＬを制御するための操作コマンドを生成する。本実施形態において、制御コマンドは、サーバＳＶＲによって生成される操作コマンドによって例示される。
【０１９１】
再符号化された通話ストリームは、生成部２１０から送信部２２０へ出力される。送信部２２０は、通話ストリームを通話相手ＩＴＰの電話機へ送信する。本実施形態において、第２送信部は、送信部２２０によって例示される。
【０１９２】
＜第１８実施形態＞
第１７実施形態に関連して説明されたコードレス電話機器の親機は、様々な制御の下で動作することができる。第１８実施形態において、親機に対する例示的な制御方法が説明される。
【０１９３】
図２０は、親機２００Ｈに対する例示的な制御方法の概略的なフローチャートである。図１９及び図２０を参照して、親機２００Ｈの制御方法が説明される。
【０１９４】
（ステップＳ３１０）
ステップＳ３１０において、符号化された信号が、生成部２１０へ伝達される。その後、ステップＳ３２０が実行される。
【０１９５】
（ステップＳ３２０）
ステップＳ３２０において、生成部２１０は、符号化された信号を復号する。その後、ステップＳ３３０が実行される。
【０１９６】
（ステップＳ３３０）
ステップＳ３３０において、生成部２１０は、復号された信号が、通話ビット情報を含むか否かを判定する。復号された信号が、通話ビット情報を含んでいる場合に、ステップＳ３４０が実行される。他の場合には、ステップＳ３６０が実行される。
【０１９７】
（ステップＳ３４０）
ステップＳ３４０において、生成部２１０は、通話ストリームを再符号化する。再符号化された通話ストリームは、生成部２１０から送信部２２０へ出力される。その後、ステップＳ３５０が実行される。本実施形態において、第２生成ステップは、ステップＳ３４０によって例示される。
【０１９８】
（ステップＳ３５０）
ステップＳ３５０において、送信部２２０は、通話相手ＩＴＰの電話機に通話ストリームを送信する。本実施形態において、第２送信ステップは、ステップＳ３５０によって例示される。
【０１９９】
（ステップＳ３６０）
ステップＳ３６０において、生成部２１０は、指示ストリームを再符号化する。再符号化された指示ストリームは、生成部２１０から送信部２２０へ出力される。その後、ステップＳ３７０が実行される。本実施形態において、第２生成ステップは、ステップＳ３６０によって例示される。
【０２００】
（ステップＳ３７０）
ステップＳ３７０において、送信部２２０は、サーバＳＶＲに指示ストリームを送信する。本実施形態において、第２送信ステップは、ステップＳ３７０によって例示される。
【０２０１】
＜第１９実施形態＞
上述の様々な実施形態に関連して説明された制御システムは、ホームゲートウェイとして機能することができる親機を備える。第１９実施形態において、ホームゲートウェイとして機能することができる親機が説明される。
【０２０２】
図２１は、第１９実施形態の親機２０１Ｉの概略的なブロック図である。図８、図１９乃至図２１を参照して、親機２０１Ｉが説明される。
【０２０３】
親機２０１Ｉは、電話機としての機能だけでなく、ホームゲートウェイとしても機能する。親機２０１Ｉは、図８を参照して説明された親機２０１として利用可能である。したがって、親機２０１Ｉは、固定電話回線網ＦＴＮだけでなく、ＷｉＦｉルータ４１０にも接続される。
【０２０４】
親機２０１Ｉは、固定電話回線網ＦＴＮを通じて、ユーザの音声を通話相手に届けることができる。親機２０１Ｉは、固定電話回線網ＦＴＮを通じて、通話相手の音声をユーザに届けることができる。
【０２０５】
親機２０１Ｉは、ＷｉＦｉルータ４１０を通じて、家電機器群ＡＰＧに対する遠隔操作を要求する音声指示をクラウドサーバ４２０へ届けることができる。親機２０１Ｉは、ＷｉＦｉルータ４１０を通じて、クラウドサーバ４２０が生成した操作コマンドを受け取ることができる。操作コマンドは、Ｅｔｈｅｒｎｅｔ（登録商標）を通じて、親機２０１Ｉから家電機器群ＡＰＧへ伝達される。家電機器群ＡＰＧは、操作コマンドに応じて、音声指示に従う動作を実行する。したがって、ユーザは、家電機器群ＡＰＧを適切に遠隔操作することができる。
【０２０６】
親機２０１Ｉは、電力供給部２９０と、音声処理部２４０と、インターフェース部２５０と、集積回路２６０と、アンテナ部２７０と、を備える。電力供給部２９０は、音声処理部２４０、インターフェース部２５０及び集積回路２６０に電力を供給する。音声処理部２４０は、ユーザの音声を電気信号に変換し、且つ、集積回路２６０から受け取った信号を音声に変換する。インターフェース部２５０は、ユーザの操作を受け付け、且つ、ユーザに必要な情報を提供する。集積回路２６０は、様々な信号処理を行う。アンテナ部２７０は、電話子機３０１，３０２から符号化された信号を受信する。
【０２０７】
音声処理部２４０は、スピーカ２４１と、マイクロフォン２４２と、を含む。通話相手の電話機から送信された音声信号は、集積回路２６０に所定の処理を受ける。その後、音声信号は、集積回路２６０からスピーカ２４１へ出力される。スピーカ２４１は、音声信号を音声に変換する。この結果、ユーザは、通話相手の音声を聴くことができる。ユーザは、マイクロフォン２４２に向けて音声を発する。マイクロフォン２４２は、音声を電気信号に変換する。電気信号は、マイクロフォン２４２から集積回路２６０に出力される。集積回路２６０は、電気信号を処理する。電気信号は、その後、集積回路２６０から固定電話回線網ＦＴＮ又はＷｉＦｉルータ４１０へ出力される。
【０２０８】
インターフェース部２５０は、入力キー２５１と、ディスプレイ２５２と、を含む。入力キー２５１は、一般的な電話機が備える１０キーであってもよい。ユーザは、入力キー２５１を操作し、通話相手の電話番号を入力してもよい。入力された電話番号は、電気信号として集積回路２６０へ出力される。集積回路２６０は、電話番号を表す電気信号を処理し、固定電話回線網ＦＴＮを通じて、親機２０１Ｉと通話相手の電話機との通信を成立させる。集積回路２６０は、電話番号を表す電気信号の受信に応じて、ユーザが入力した番号を表す画像データを生成してもよい。画像データは、集積回路２６０からディスプレイ２５２へ出力される。ディスプレイ２５２は、ユーザが入力した番号を表す画像を表示する。この結果、ユーザは、入力された番号が正しいか否かを視覚的に確認することができる。
【０２０９】
集積回路２６０は、判定部２１１と、符号化部２１２と、通信管理部２２０Ｉと、Ｉ／Ｏセクション２３０と、を含む。判定部２１１は、アンテナ部２７０が受信した符号化された信号を復号する（図２０を参照して説明されたステップＳ３２０）。判定部２１１は、その後、信号が、通話ビット情報を含むか、指示ビット情報を含むかを判定する（図２０を参照して説明されたステップＳ３３０）。
【０２１０】
信号が、通話ビット情報を含んでいる場合に、通話ビット情報及び通話ストリームは、判定部２１１から符号化部２１２へ出力される。符号化部２１２は、通話ストリームを符号化する（図２０を参照して説明されたステップＳ３４０）。符号化部２１２は、符号化された通話ストリームの出力経路を指定し、符号化された通話ストリームを通信管理部２２０Ｉへ出力する。通信管理部２２０Ｉは、その後、符号化された通話ストリームを固定電話回線網ＦＴＮへ出力する（図２０を参照して説明されたステップＳ３５０）。
【０２１１】
信号が、指示ビット情報を含んでいる場合に、指示ビット情報及び指示ストリームは、判定部２１１から符号化部２１２へ出力される。符号化部２１２は、指示ストリームを符号化する（図２０を参照して説明されたステップＳ３６０）。符号化部２１２は、符号化された指示ストリームの出力経路を指定し、符号化された指示ストリームを通信管理部２２０Ｉへ出力する。通信管理部２２０Ｉは、その後、符号化された指示ストリームをＷｉＦｉルータ４１０へ出力する（図２０を参照して説明されたステップＳ３７０）。判定部２１１及び符号化部２１２は、図１９を参照して説明された生成部２１０に対応する。通信管理部２２０Ｉは、図１９を参照して説明された送信部２２０に対応する。
【０２１２】
ユーザがマイクロフォン２４２に発した音声は、電気信号として、Ｉ／Ｏセクション２３０に入力される。その後、音声を表す電気信号は、Ｉ／Ｏセクション２３０から符号化部２１２へ出力される。符号化部２１２は、電気信号を符号化する。符号化部２１２は、符号化された電気信号の出力経路を指定し、符号化された電気信号を通信管理部２２０Ｉへ出力する。通信管理部２２０Ｉは、その後、符号化された電気信号を固定電話回線網ＦＴＮへ出力する。
【０２１３】
通信管理部２２０Ｉは、第１通信管理部２２１と、第２通信管理部２２２と、第３通信管理部２２３と、を含む。第１通信管理部２２１は、固定電話回線網ＦＴＮを通じた通信を管理する。第２通信管理部２２２は、電話子機３０１，３０２と親機２０１Ｉとの間で構築される多重化方式（たとえば、ＤＥＣＴ規格に準拠したＴＤＤ−ＴＤＭＡ方式）を通じた通信を管理する。第３通信管理部２２３は、ＷｉＦｉルータ４１０及びＥｔｈｅｒｎｅｔ（登録商標）を通じた通信を管理する。
【０２１４】
通話相手の電話機が、音声信号を、固定電話回線網ＦＴＮを通じて、親機２０１Ｉへ送ると、第１通信管理部２２１は、音声信号を受け取る。ユーザが、音声処理部２４０を用いて、通信相手に応答している場合に、音声信号は、Ｉ／Ｏセクション２３０を通じて、第１通信管理部２２１からスピーカ２４１へ出力される。ユーザが、電話子機３０１，３０２のうち一方を用いて通話相手に応答している場合に、第１通信管理部２２１は、通話相手によって生成された音声信号を、第２通信管理部２２２と協働して、アンテナ部２７０から電話子機３０１，３０２のうち一方へ送信する。
【０２１５】
ユーザがマイクロフォン２４２へ音声を発しているとき、及び、アンテナ部２７０が通話ビット情報を受信したとき、符号化部２１２は、符号化された信号を第１通信管理部２２１へ出力する。第１通信管理部２２１は、符号化された信号を、固定電話回線網ＦＴＮを通じて、通話相手の電話機へ送信する。本実施形態において、第２公衆通信回線は、第１通信管理部２２１と通話相手の電話機との間の通信に利用される固定電話回線網によって例示される。
【０２１６】
アンテナ部２７０が、電話子機３０１，３０２のうち一方から符号化された信号を受信すると、符号化された信号は、第２通信管理部２２２から判定部２１１へ出力される。符号化された信号は、判定部２１１によって復号される。復号された信号が、指示ビット情報を含んでいる場合に、符号化部２１２は、符号化処理の後、指示ストリームを第３通信管理部２２３へ出力する。
【０２１７】
第３通信管理部２２３は、クラウド通信部２２９、家電通信部２２８と、を含む。第３通信管理部２２３が、指示ストリームを受け取ると、指示ストリームは、ＷｉＦｉルータ４１０を通じて、クラウド通信部２２９からクラウドサーバ４２０へ送信される。本実施形態において、第１公衆通信回線は、ＷｉＦｉルータ４１０とクラウドサーバ４２０との間で構築されたインターネット回線によって例示される。
【０２１８】
クラウドサーバ４２０は、指示ストリームに応じて、操作コマンドを生成する。操作コマンドは、ＷｉＦｉルータ４１０を通じて、クラウドサーバ４２０から第３通信管理部２２３へ出力される。第３通信管理部２２３が、操作コマンドを受け取ると、家電通信部２２８は、操作コマンドを、Ｅｔｈｅｒｎｅｔ（登録商標）を通じて、家電機器群ＡＰＧへ出力する。この結果、家電機器群ＡＰＧの家電機器は、操作コマンドに応じて動作する。
【０２１９】
＜第２０実施形態＞
第１９実施形態に関連して説明された親機は、様々な制御の下で動作することができる。第２０実施形態において、親機に対する例示的な制御方法が説明される。
【０２２０】
図２２は、親機２０１Ｉに対する例示的な制御方法の概略的なフローチャートである。図８、図２１及び図２２を参照して、親機２０１Ｉの制御方法が説明される。
【０２２１】
（ステップＳ４１０）
ステップＳ４１０は、符号化された信号が、アンテナ部２７０へ送信されるまで実行される。符号化された信号が、アンテナ部２７０へ送信されると、ステップＳ４２０が実行される。
【０２２２】
（ステップＳ４２０）
ステップＳ４２０において、第２通信管理部２２２は、符号化された信号を判定部２１１へ出力する。判定部２１１は、符号化された信号を復号する。判定部２１１は、復号された信号が、通話ビット情報を含むか否かを判定する。復号された信号が、通話ビット情報を含んでいる場合に、ステップＳ４３０が実行される。他の場合には、ステップＳ４５０が実行される。
【０２２３】
（ステップＳ４３０）
ステップＳ４３０において、通話ビット情報及び通話ストリームは、判定部２１１から符号化部２１２へ出力される。符号化部２１２は、通話ストリームを符号化する。符号化された通話ストリームは、符号化部２１２から第１通信管理部２２１へ出力される。その後、符号化された通話ストリームは、固定電話回線網ＦＴＮを通じて、第１通信管理部２２１から通話相手の電話機へ出力される。その後、ステップＳ４４０が実行される。
【０２２４】
（ステップＳ４４０）
ステップＳ４４０において、第１通信管理部２２１は、通信相手の電話機との通信接続が維持されているか否かを判定する。通信相手の電話機との通信接続が維持されている場合に、ステップＳ４１０が実行される。他の場合には、処理は終了される。
【０２２５】
（ステップＳ４５０）
判定部２１１は、復号された信号が、指示ビット情報を含むか否かを判定する。復号された信号が、指示ビット情報を含んでいる場合に、ステップＳ４６０が実行される。他の場合には、ステップＳ４７０が実行される。
【０２２６】
（ステップＳ４６０）
ステップＳ４６０において、指示ビット情報及び指示ストリームは、判定部２１１から符号化部２１２へ出力される。符号化部２１２は、指示ストリームを符号化する。符号化された指示ストリームは、符号化部２１２から第３通信管理部２２３へ出力される。その後、符号化された指示ストリームは、クラウド通信部２２９によって、ＷｉＦｉルータ４１０を通じて、クラウドサーバ４２０へ出力される。その後、ステップＳ４４０が実行される。
【０２２７】
（ステップＳ４７０）
ステップＳ４７０において、判定部２１１は、ＮＡＣＫ信号を生成する。ＮＡＣＫ信号は、判定部２１１から第２通信管理部２２２へ出力される。ＮＡＣＫ信号は、第２通信管理部２２２から電話子機３０１，３０２のうち一方に送信される。
【０２２８】
＜第２１実施形態＞
第６実施形態において、ミュートモードへの動作モードに切替は、子機によって実行される。代替的に、親機が、動作モードをミュートモードへ切り替えてもよい。第２１実施形態において、親機によって実行されるミュートモードへの切替が説明される。
【０２２９】
図２３は、親機２０１Ｉによって実行されるミュートモードへの切替制御の概略的なフローチャートである。図８、図２１及び図２３を参照して、親機２０１Ｉの制御方法が説明される。
【０２３０】
（ステップＳ５１０）
ステップＳ５１０において、通話ビット情報及び通話ストリームは、電話子機３０１，３０２のうち一方からアンテナ部２７０へ送信される。その後、ステップＳ５２０が実行される。
【０２３１】
（ステップＳ５２０）
ステップＳ５２０において、ユーザが、電話子機３０１，３０２のうち一方を操作し、ミュートモードへの動作モードの切替を要求している場合に、電話子機３０１，３０２のうち一方は、第１切替信号を生成する。第１切替信号は、電話子機３０１，３０２のうち一方からアンテナ部２７０へ送信される。アンテナ部２７０が、第１切替信号を受信した場合に、ステップＳ５３０及びステップＳ５５０が平行して行われる。他の場合には、ステップＳ５９０が実行される。
【０２３２】
（ステップＳ５３０）
ステップＳ５３０において、指示ビット情報及び指示ストリームは、電話子機３０１，３０２のうち一方からアンテナ部２７０へ送信される。その後、ステップＳ５４０が実行される。
【０２３３】
（ステップＳ５４０）
ステップＳ５４０において、指示ビット情報及び指示ストリームは、第２通信管理部２２２から判定部２１１へ出力される。その後、ステップＳ５７０が実行される。
【０２３４】
（ステップＳ５５０）
ステップＳ５５０において、第１通信管理部２２１は、代替音（たとえば、ノイズやバックグラウンド音）を表す代替音信号を生成する。その後、ステップＳ５６０が実行される。
【０２３５】
（ステップＳ５６０）
ステップＳ５６０において、代替音信号は、固定電話回線網ＦＴＮを通じて、第１通信管理部２２１から通話相手の電話機へ送信される。その後、ステップＳ５７０が実行される。
【０２３６】
（ステップＳ５７０）
ステップＳ５７０において、ユーザが、電話子機３０１，３０２のうち一方を操作し、ミュートモードからの復帰を要求している場合に、電話子機３０１，３０２のうち一方は、第２切替信号を生成する。第２切替信号は、電話子機３０１，３０２のうち一方からアンテナ部２７０へ送信される。アンテナ部２７０が、第２切替信号を受信する場合に、ステップＳ５１０が実行される。他の場合には、ステップＳ５８０が実行される。
【０２３７】
（ステップＳ５８０）
ステップＳ５８０において、第１通信管理部２２１は、通信相手の電話機との通信接続が維持されているか否かを判定する。通信相手の電話機との通信接続が維持されている場合に、ステップＳ５３０及びステップＳ５５０が平行して行われる。他の場合には、処理は終了される。
【０２３８】
（ステップＳ５９０）
ステップＳ５９０において、第１通信管理部２２１は、通信相手の電話機との通信接続が維持されているか否かを判定する。通信相手の電話機との通信接続が維持されている場合に、ステップＳ５１０が実行される。他の場合には、処理は終了される。
【０２３９】
＜第２２実施形態＞
第１９実施形態の親機は、ＷｉＦｉルータを通じてクラウドサーバと通信する一方で、Ｅｔｈｅｒｎｅｔ（登録商標）を通じて家電機器と通信する。代替的に、親機は、クラウドサーバとの通信と同様に、ＷｉＦｉルータを通じて家電機器と通信してもよい。第２２実施形態において、ＷｉＦｉルータを通じて、クラウドサーバだけでなく家電機器とも通信する親機が説明される。
【０２４０】
図２４は、第２２実施形態の親機２０１Ｊの概略的なブロック図である。図２４を参照して、親機２０１Ｊが説明される。第１９実施形態及び第２２実施形態の間で共通して用いられる符号は、当該共通の符号が付された要素が、第１９実施形態と同一の機能を有することを意味する。したがって、第１９実施形態の説明は、これらの要素に援用される。
【０２４１】
第１９実施形態と同様に、親機２０１Ｊは、電力供給部２９０と、音声処理部２４０と、インターフェース部２５０と、を備える。第１９実施形態の説明は、これらの要素に援用される。
【０２４２】
親機２０１Ｊは、集積回路２６０Ｊと、アンテナ部２７０Ｊと、を更に備える。アンテナ部２７０Ｊは、多重化方式を通じて、親機２０１Ｊと通信可能に接続された様々な子機（たとえば、電話子機やウェアラブル端末）からの信号を受ける。集積回路２６０Ｊは、アンテナ部２７０Ｊが受け取った信号を処理する。
【０２４３】
第１９実施形態と同様に、集積回路２６０Ｊは、判定部２１１と、符号化部２１２と、Ｉ／Ｏセクション２３０と、を含む。第１９実施形態の説明は、これらの要素に援用される。
【０２４４】
集積回路２６０Ｊは、通信管理部２２０Ｊを更に備える。通信管理部２２０Ｊは、固定電話回路網ＦＴＮ及びＷｉＦｉルータ４１０との通信を管理する。
【０２４５】
第１９実施形態と同様に、通信管理部２２０Ｊは、第１通信管理部２２１と、第２通信管理部２２２と、を含む。第１９実施形態の説明は、これらの要素に援用される。
【０２４６】
通信管理部２２０Ｊは、第３通信管理部２２３Ｊを更に含む。第１９実施形態とは異なり、第３通信管理部２２３Ｊは、ＷｉＦｉルータ４１０を通じた通信を専ら管理する。
【０２４７】
アンテナ部２７０Ｊは、ＷｉＦｉルータ４１０から信号を受ける。加えて、アンテナ部２７０Ｊは、ＷｉＦｉルータ４１０へ信号を送信する。
【０２４８】
第１９実施形態と同様に、アンテナ部２７０Ｊは、第２通信管理部２２２に接続される。第１９実施形態とは異なり、アンテナ部２７０Ｊは、第３通信管理部２２３Ｊにも接続される。
【０２４９】
第１９実施形態と同様に、第３通信管理部２２３Ｊは、クラウド通信部２２９を含む。クラウド通信部２２９は、符号化された指示ストリームを、アンテナ部２７０ＪからＷｉＦｉルータ４１０へ送信する。その後、指示ストリームは、ＷｉＦｉルータ４１０からクラウドサーバへ送信される。
【０２５０】
第３通信管理部２２３Ｊは、家電通信部２２８Ｊを更に含む。家電通信部２２８Ｊは、クラウドサーバによって生成された操作コマンドをアンテナ部２７０ＪからＷｉＦｉルータ４１０へ送信する。その後、操作コマンドは、ＷｉＦｉルータ４１０から家電機器へ送信される。この結果、家電機器は、操作コマンドに応じて動作する。
【０２５１】
＜第２３実施形態＞
第１１実施形態に関連して説明された如く、親機は、スマートホンと、ＷｉＦｉ通信技術によって、接続されてもよい。第２３実施形態において、ＷｉＦｉ通信技術によって、スマートホンと通信可能に接続される親機が説明される。
【０２５２】
図２５は、第２３実施形態の親機２０１Ｋの概略的なブロック図である。図１１及び図２５を参照して、親機２０１Ｋが説明される。第２２実施形態及び第２３実施形態の間で共通して用いられる符号は、当該共通の符号が付された要素が、第２２実施形態と同一の機能を有することを意味する。したがって、第２２実施形態の説明は、これらの要素に援用される。
【０２５３】
親機２０１Ｋは、電話子機３０１及びウェアラブル端末３０３，３０４と、ＤＥＣＴ規格に準拠したＴＤＤ−ＴＤＭＡ方式を通じて通信可能に接続される。したがって、親機２０１Ｋは、図１１を参照して説明された親機２０１として利用可能である。
【０２５４】
第２２実施形態と同様に、親機２０１Ｋは、電力供給部２９０と、音声処理部２４０と、インターフェース部２５０と、を備える。第２２実施形態の説明は、これらの要素に援用される。
【０２５５】
親機２０１Ｋは、集積回路２６０Ｋと、アンテナ部２７０Ｋと、を更に備える。アンテナ部２７０Ｋは、多重化方式を通じて、電話子機３０１及びウェアラブル端末３０３，３０４からの信号を受ける。集積回路２６０Ｋは、アンテナ部２７０Ｋが受け取った信号を処理する。
【０２５６】
第２２実施形態と同様に、集積回路２６０Ｋは、判定部２１１と、符号化部２１２と、Ｉ／Ｏセクション２３０と、を含む。第２２実施形態の説明は、これらの要素に援用される。
【０２５７】
集積回路２６０Ｋは、通信管理部２２０Ｋを更に備える。通信管理部２２０Ｋは、固定電話回路網ＦＴＮ及びＷｉＦｉルータ４１０との通信を管理する。
【０２５８】
第２２実施形態と同様に、通信管理部２２０Ｋは、第１通信管理部２２１と、第２通信管理部２２２と、第３通信管理部２２３Ｊと、を含む。第２２実施形態の説明は、これらの要素に援用される。
【０２５９】
通信管理部２２０Ｋは、第４通信管理部２２４を更に含む。アンテナ部２７０Ｋは、ＷｉＦｉルータ４１０及びスマートホン４３０から信号を受ける。加えて、アンテナ部２７０Ｋは、ＷｉＦｉルータ４１０及びスマートホン４３０へ信号を送信する。アンテナ部２７０Ｋは、第２通信管理部２２２、第３通信管理部２２３Ｊ及び第４通信管理部２２４に接続される。第４通信管理部２２４は、スマートホン４３０との通信を管理する。
【０２６０】
ユーザがスマートホン４３０を操作し、固定電話回線網ＦＴＮを通じて、通話相手との会話を要求している場合に、アンテナ部２７０Ｋは、スマートホン４３０に入力された音声を表す音声信号を受ける。その後、第４通信管理部２２４は、音声信号を、第１通信管理部２２１へ出力する。第１通信管理部２２１は、通話相手の電話機へ音声信号を送信する。
【０２６１】
＜第２４実施形態＞
親機は、ＩＰ電話回線網に接続されてもよい。第２４実施形態において、ＩＰ電話回線網に接続された親機及び親機を備える制御システムが説明される。
【０２６２】
図２６Ａは、第２４実施形態の制御システム４０２Ｌの概念図である。図２６Ｂは、制御システム４０２Ｌの親機２０１Ｌの概略的なブロック図である。図２６Ａ及び図２６Ｂを参照して、制御システム４０２Ｌが説明される。第１１実施形態、第２３実施形態及び第２４実施形態の間で共通して用いられる符号は、当該共通の符号が付された要素が、第１１実施形態及び／又は第２３実施形態と同一の機能を有することを意味する。したがって、第１１実施形態及び／又は第２３実施形態の説明は、これらの要素に援用される。
【０２６３】
第１１実施形態と同様に、制御システム４０２Ｌは、クラウドサーバ４２０と、スマートホン４３０と、を備える。第１１実施形態の説明は、これらの要素に援用される。
【０２６４】
制御システム４０２Ｌは、コードレス電話機器１０３Ｌと、ＷｉＦｉルータ４１０Ｌと、を更に備える。
【０２６５】
第１１実施形態と同様に、コードレス電話機器１０３Ｌは、電話子機３０１と、２台のウェアラブル端末３０３，３０４と、を含む。第１１実施形態の説明は、これらの要素に援用される。
【０２６６】
コードレス電話機器１０３Ｌは、親機２０１Ｌを含む。親機２０１Ｌは、ＷｉＦｉルータ４１０Ｌと、スマートホン４３０と、固定電話回線網ＦＴＮと、に通信可能に接続される。親機２０１Ｌは、電話子機３０１及びウェアラブル端末３０３，３０４と、ＤＥＣＴ規格に準拠したＴＤＤ−ＴＤＭＡ方式を通じて通信可能に接続される。
【０２６７】
ＷｉＦｉルータ４１０Ｌは、クラウドサーバ４２０と、ＩＰ電話回線網ＩＴＮと、に接続される。したがって、ユーザは、ＩＰ電話回線網ＩＴＮを通じて、通話相手を会話することができる。
【０２６８】
第２３実施形態と同様に、親機２０１Ｌは、電力供給部２９０と、音声処理部２４０と、インターフェース部２５０と、を備える。第２３実施形態の説明は、これらの要素に援用される。
【０２６９】
親機２０１Ｌは、集積回路２６０Ｌと、アンテナ部２７０Ｌと、を更に備える。アンテナ部２７０Ｌは、多重化方式を通じて、電話子機３０１及びウェアラブル端末３０３，３０４からの信号を受ける。集積回路２６０Ｌは、アンテナ部２７０Ｌが受け取った信号を処理する。
【０２７０】
第２３実施形態と同様に、集積回路２６０Ｌは、判定部２１１と、符号化部２１２と、Ｉ／Ｏセクション２３０と、を含む。第２３実施形態の説明は、これらの要素に援用される。
【０２７１】
集積回路２６０Ｌは、通信管理部２２０Ｌを更に備える。通信管理部２２０Ｌは、固定電話回路網ＦＴＮ及びＷｉＦｉルータ４１０Ｌとの通信を管理する。
【０２７２】
第２３実施形態と同様に、通信管理部２２０Ｌは、第１通信管理部２２１と、第２通信管理部２２２と、第３通信管理部２２３Ｊと、第４通信管理部２２４と、を含む。第２３実施形態の説明は、これらの要素に援用される。
【０２７３】
通信管理部２２０Ｌは、第５通信管理部２２５を更に含む。アンテナ部２７０Ｌは、ＷｉＦｉルータ４１０Ｌ及びスマートホン４３０から信号を受ける。加えて、アンテナ部２７０Ｌは、ＷｉＦｉルータ４１０Ｌ及びスマートホン４３０へ信号を送信する。アンテナ部２７０Ｌは、第２通信管理部２２２、第３通信管理部２２３Ｊ、第４通信管理部２２４及び第５通信管理部２２５に接続される。第５通信管理部２２５は、ＩＰ電話回路網ＩＴＮとの通信を管理する。ユーザが、ＩＰ電話回路網ＩＴＮを通じた通話相手との会話を要求している場合に、第５通信管理部２２５は、ＩＰ電話回路網ＩＴＮを通じた信号の通信を管理する。
【０２７４】
＜第２５実施形態＞
第８実施形態に関連して説明された如く、制御システムは、複数の電話子機を備えてもよい。複数の電話子機は、互いに異なる部屋に配置されることもある。この場合、使用されている電話子機が配置されている家電機器が、優先的に遠隔操作されてもよい。第２５実施形態において、複数の電話子機を備える制御システムが説明される。
【０２７５】
図２７は、第２５実施形態の制御システム４００Ｍの概念図である。図２７を参照して、制御システム４００Ｍが説明される。第８実施形態及び第２５実施形態の間で共通して用いられる符号は、当該共通の符号が付された要素が、第８実施形態と同一の機能を有することを意味する。したがって、第８実施形態の説明は、これらの要素に援用される。
【０２７６】
第８実施形態と同様に、制御システム４００Ｍは、親機２０１と、ＷｉＦｉルータ４１０と、を備える。第８実施形態の説明は、これらの要素に援用される。
【０２７７】
制御システム４００Ｍは、３台の電話子機（電話子機（Ａ）、電話子機（Ｂ）、電話子機（Ｃ））と、クラウドサーバ４２０Ｍと、を更に備える。電話子機（Ａ）は、寝室に配置されている。電話子機（Ｂ）は、子供部屋（１）に配置されている。電話子機（Ｃ）は、子供部屋（２）に配置されている。
【０２７８】
ユーザが、電話子機（Ａ）を用いて、家電機器の遠隔操作を要求している場合に、クラウドサーバ４２０Ｍは、寝室内に配置された家電機器を遠隔操作するための操作コマンドを優先的に生成する。ユーザが、電話子機（Ｂ）を用いて、家電機器の遠隔操作を要求している場合に、クラウドサーバ４２０Ｍは、子供部屋（１）内に配置された家電機器を遠隔操作するための操作コマンドを優先的に生成する。ユーザが、電話子機（Ｃ）を用いて、家電機器の遠隔操作を要求している場合に、クラウドサーバ４２０Ｍは、子供部屋（２）内に配置された家電機器を遠隔操作するための操作コマンドを優先的に生成する。
【０２７９】
第８実施形態と同様に、制御システム４００Ｍは、認証部４２１と、音声認識部４２２と、対話部４２３と、操作コマンド生成部４２４と、操作履歴データベース４２６と、を含む。第８実施形態の説明は、これらの要素に援用される。
【０２８０】
制御システム４００Ｍは、対象機器データベース４２５Ｍを更に含む。対象機器データベース４２５Ｍは、制御対象となる家電機器に関する優先順位を設定するためのデータを格納する。
【０２８１】
図２８は、対象機器データベース４２５Ｍに格納された例示的なデータを示す表である。図２７及び図２８を参照して、対象機器データベース４２５Ｍに格納されたデータが説明される。
【０２８２】
図２７に示される如く、ユーザは、７台の照明器具を有している。音声認識部４２２が、ユーザが、７台の照明器具のうちどの照明器具を遠隔操作したいかを認識することができないこともある。ユーザが、電話子機（Ａ）を使用し、照明器具の点灯を求めている場合に、操作コマンド生成部４２４は、対象機器データベース４２５Ｍ及び操作履歴データベース４２６を参照する。照明器具（Ａ）が、既に点灯している一方で、照明器具（Ｄ）が消灯している場合に、操作コマンド生成部４２４は、照明器具（Ｄ）を遠隔操作の対象として選択する。
【０２８３】
＜第２６実施形態＞
第９実施形態に関連して説明された如く、親機に通信可能に接続される子機をウェアラブル端末として設計することができる。ウェアラブル端末の位置は、ユーザの移動によって変化するので、ウェアラブル端末は、位置情報を取得する機能を有してもよい。この場合、制御システムは、ウェアラブル端末の位置を参照して、遠隔操作の対象となる家電機器を決定してもよい。第２６実施形態において、位置情報を取得する機能を有するウェアラブル端末が説明される。
【０２８４】
図２９は、第２６実施形態のウェアラブル端末３００Ｎの概略的なブロック図である。図２９を参照して、ウェアラブル端末３００Ｎが説明される。第９実施形態及び第２６実施形態の間で共通して用いられる符号は、当該共通の符号が付された要素が、第９実施形態と同一の機能を有することを意味する。したがって、第９実施形態の説明は、これらの要素に援用される。
【０２８５】
ウェアラブル端末３００Ｎが、ユーザの手首に装着されるように、設計者は、ウェアラブル端末３００Ｎを設計してもよい。この場合、設計者は、ウェアラブル端末３００Ｎが腕時計やバングルのように見えるように、ウェアラブル端末３００Ｎの意匠を決定してもよい。ウェアラブル端末３００Ｎが、ユーザの指に装着されるように、設計者は、ウェアラブル端末３００Ｎを設計してもよい。この場合、設計者は、ウェアラブル端末３００Ｎが指輪のように見えるように、ウェアラブル端末３００Ｎの意匠を決定してもよい。ウェアラブル端末３００Ｎが、ユーザの首から下げられるように、設計者は、ウェアラブル端末３００Ｎを設計してもよい。この場合、設計者は、ウェアラブル端末３００Ｎがペンダント或いはネックレスのように見えるように、ウェアラブル端末３００Ｎの意匠を決定してもよい。本実施形態の原理は、ウェアラブル端末３００Ｎの特定の装着位置や特定の意匠に限定されない。
【０２８６】
第９実施形態と同様に、ウェアラブル端末３００Ｎは、信号変換部３１０Ｄと、アンテナ部３３１と、電源ボタン３４０Ｂと、電力供給部３５０と、を含む。第９実施形態の説明は、これらの要素に援用される。
【０２８７】
ウェアラブル端末３００Ｎは、集積回路３２０Ｎを更に備える。第９実施形態と同様に、集積回路３２０Ｎは、通話相手の電話機との接続のための信号処理、第１動作モードと第２動作モードとの間での動作モードの切替のための信号処理、ビット情報及びストリームの生成のための信号処理やユーザに対する認証を行うための信号処理といった様々な信号処理を司る。第９実施形態に関連して説明された信号処理の技術は、集積回路３２０Ｎに適用される。
【０２８８】
第９実施形態と同様に、集積回路３２０Ｎは、制御部３２１Ｄと、符号化部３２２と、Ｉ／Ｏセクション３２３と、タイマ３２４と、記憶部３２５と、認証部３２６と、通信部３３２と、を含む。
【０２８９】
集積回路３２０Ｎは、位置情報取得部３２７を更に含む。位置情報取得部３２７は、ＧＰＳ技術を利用して、ウェアラブル端末３００Ｎの位置に関する位置情報を取得する。位置情報取得部３２７は、位置情報を表す位置信号を生成する。位置信号は、位置情報取得部３２７から通信部３３２へ出力される。通信部３３２は、位置信号を、アンテナ部３３１から送信する。
【０２９０】
図３０は、ウェアラブル端末３００Ｎを備える制御システム４００Ｎの概念図である。図３０を参照して、制御システム４００Ｎが説明される。第２５実施形態及び第２６実施形態の間で共通して用いられる符号は、当該共通の符号が付された要素が、第２５実施形態と同一の機能を有することを意味する。したがって、第２５実施形態の説明は、これらの要素に援用される。
【０２９１】
第２５実施形態と同様に、制御システム４００Ｎは、親機２０１と、ＷｉＦｉルータ４１０と、電話子機（Ａ）と、クラウドサーバ４２０Ｍと、を備える。第２５実施形態の説明は、これらの要素に援用される。
【０２９２】
制御システム４００Ｎは、上述のウェアラブル端末３００Ｎを更に備える。ウェアラブル端末３００Ｎは、子供部屋（２）に配置されている。
【０２９３】
図３１は、対象機器データベース４２５Ｍに格納された例示的なデータを示す表である。図３０及び図３１を参照して、対象機器データベース４２５Ｍに格納されたデータが説明される。
【０２９４】
図３０に示される如く、ユーザは、７台の照明器具を有している。音声認識部４２２が、ユーザが、７台の照明器具のうちどの照明器具を遠隔操作したいかを認識することができないこともある。ユーザが、子供部屋（２）でウェアラブル端末３００Ｎを使用し、照明器具の点灯を求めている場合に、操作コマンド生成部４２４は、対象機器データベース４２５Ｍ及び操作履歴データベース４２６を参照する。照明器具（Ｃ）が、既に点灯している一方で、照明器具（Ｄ）が消灯している場合に、操作コマンド生成部４２４は、照明器具（Ｄ）を遠隔操作の対象として選択する。
【０２９５】
＜第２７実施形態＞
第８実施形態に関連して説明された制御システムが制御する家電機器群は、家電機器を制御するための制御器具を含んでもよい。第２７実施形態において、制御システムの例示的な使用方法が説明される。
【０２９６】
図３２は、制御システム４００の使用方法の概念図である。図３２を参照して、制御システム４００の例示的な使用方法が説明される。
【０２９７】
制御システム４００は、第１家電機器群ＡＰＧ１を直接的に制御することができる。制御システム４００が生成した操作コマンドは、ＷｉＦｉルータ４１０又はＥｔｈｅｒｎｅｔ（登録商標）を通じて第１家電機器群ＡＰＧ１へ送信される。
【０２９８】
第１家電機器群ＡＰＧ１は、ＩＲ変換器ＡＰ１１，ＡＰ１２と、照明器具ＡＰ１３と、空調機器ＡＰ１４と、テレビ装置ＡＰ１５と、ビデオ装置ＡＰ１６と、冷蔵庫ＡＰ１７と、電子レンジＡＰ１８と、洗濯機ＡＰ１９と、を含む。ＩＲ変換器ＡＰ１１，ＡＰ１２は、制御システム４００から受け取った操作コマンドに応じて、第２家電機器群ＡＰＧ２を制御するための制御信号（赤外線信号）を生成する。制御信号は、ＩＲ変換器ＡＰ１１，ＡＰ１２から第２家電機器群ＡＰＧ２へ送信される。
【０２９９】
第２家電機器群ＡＰＧ２は、照明器具ＡＰ２１，ＡＰ２２と、空調機器ＡＰ２３，ＡＰ２４と、テレビ装置ＡＰ２５と、ビデオ装置ＡＰ２６と、を含む。ＩＲ変換器ＡＰ１１，ＡＰ１２は、操作コマンドを参照し、操作対象の家電機器を第２家電機器群ＡＰＧ２から選択する。ＩＲ変換器ＡＰ１１，ＡＰ１２は、選択された家電機器へ、制御信号を送信する。選択された家電機器は、制御信号によって指定された動作を実行する。
【０３００】
＜第２８実施形態＞
上述の様々な実施形態に関連して説明された制御システムは、子機と親機との間での通信にＤＥＣＴ規格を採用してもよい。ＤＥＣＴ規格は、３２ｋｂｉｔ／ｓ  ｆｕｌｌ  ｔｅｒｍ（ＡＤＰＣＭ）Ｇ．７２６、６４ｋｂｉｔ／ｓ  ＰＣＭＧ．７１１、Ｗｉｄｅｂａｎｄ  ｓｐｅｅｃｈ  ｃｏｄｅｃ  Ｇ．７２２  ａｔ  ６４ｋｂｉｔ／ｓ、Ｗｉｄｅｂａｎｄ  ｓｐｅｅｃｈ  ｃｏｄｅｃ  Ｇ．７２９．１  ｕｐ  ｔｏ  ３２ｋｂｉｔ／ｓ、６４ｋｂｉｔ／ｓ  ＭＰＥＧ−４  ＥＲ  ＡＡＣ−ＬＤ  ｃｏｄｅｃ、３２ｋｂｉｔ／ｓ  ＭＰＥＣ−４  ＥＲ  ＡＡＣ−ＬＤ  ｃｏｄｅｃといった音声コーデック方式を用いることを規定している。子機は、これらの音声コーデック方式のうち１つを用いて、通話ストリームを符号化してもよい。子機は、これらの音声コーデック方式のうち他のもう１つを用いて、指示ストリームを符号化してもよい。この場合、音声コーデック方式の相違が、通話ストリームと指示ストリームとを識別するための指標として利用可能であるので、子機から親機へ送信される信号のビット数が低減される。例えば、指示ストリームは、通話ストリームよりも高いビットレートの音声符号化方式によって符号化されてもよい。第２８実施形態において、通話ストリームとは異なる音声符号化方式で指示ストリームを符号化することができるウェアラブル端末が説明される。
【０３０１】
図３３は、第２８実施形態のウェアラブル端末３００Ｐの概略的なブロック図である。図１０及び図３３を参照して、ウェアラブル端末３００Ｐが説明される。第９実施形態及び第２８実施形態の間で共通して用いられる符号は、当該共通の符号が付された要素が、第９実施形態と同一の機能を有することを意味する。したがって、第９実施形態の説明は、これらの要素に援用される。
【０３０２】
ウェアラブル端末３００Ｐは、図１０を参照して説明されたウェアラブル端末３０３，３０４それぞれとして利用可能である。したがって、ウェアラブル端末３００Ｐは、ＤＥＣＴ規格に準拠する多重化方式を通じて、親機２０１と通信可能に接続される。
【０３０３】
第９実施形態と同様に、ウェアラブル端末３００Ｐは、信号変換部３１０Ｄと、アンテナ部３３１と、電源ボタン３４０Ｂと、電力供給部３５０と、を含む。第９実施形態の説明は、これらの要素に援用される。
【０３０４】
ウェアラブル端末３００Ｐは、集積回路３２０Ｐを更に備える。集積回路３２０Ｐは、通話相手の電話機との接続のための信号処理、第１動作モードと第２動作モードとの間での動作モードの切替のための信号処理やユーザを認証するための信号処理といった様々な信号処理を司る。第９実施形態に関連して説明された信号処理の技術は、集積回路３２０Ｐに適用される。
【０３０５】
第９実施形態と同様に、集積回路３２０Ｐは、制御部３２１Ｄと、Ｉ／Ｏセクション３２３と、タイマ３２４と、記憶部３２５と、認証部３２６と、通信部３３２と、を含む。第９実施形態の説明は、これらの要素に援用される。
【０３０６】
集積回路３２０Ｐは、符号化部３２２Ｐを更に含む。符号化部３２２Ｐは、通話符号化部３２８と、指示符号化部３２９と、を含む。通話符号化部３２８は、通話ストリームを符号化する。指示符号化部３２９は、指示ストリームを符号化する。
【０３０７】
例えば、通話符号化部３２８は、３２ｋｂｉｔ／ｓ  ｆｕｌｌ  ｔｅｒｍ（ＡＤＰＣＭ）Ｇ．７２６を用いて、通話ストリームを符号化してもよい。指示符号化部３２９は、６４ｋｂｉｔ／ｓ  ＰＣＭＧ．７１１や６４ｋｂｉｔ／ｓ  ＭＰＥＧ−４  ＥＲ  ＡＡＣ−ＬＤ  ｃｏｄｅｃを用いて、指示ストリームを符号化してもよい。
【０３０８】
＜第２９実施形態＞
第２８実施形態に関連して説明された子機と同様に、親機は、ＤＥＣＴ規格に準拠する音声コーデック方式を用いて、符号化処理を実行してもよい。ＤＥＣＴ規格は、３２ｋｂｉｔ／ｓ  ｆｕｌｌ  ｔｅｒｍ（ＡＤＰＣＭ）Ｇ．７２６、６４ｋｂｉｔ／ｓ  ＰＣＭＧ．７１１、Ｗｉｄｅｂａｎｄ  ｓｐｅｅｃｈ  ｃｏｄｅｃ  Ｇ．７２２  ａｔ  ６４ｋｂｉｔ／ｓ、Ｗｉｄｅｂａｎｄ  ｓｐｅｅｃｈ  ｃｏｄｅｃ  Ｇ．７２９．１  ｕｐ  ｔｏ  ３２ｋｂｉｔ／ｓ、６４ｋｂｉｔ／ｓ  ＭＰＥＧ−４  ＥＲ  ＡＡＣ−ＬＤ  ｃｏｄｅｃ、３２ｋｂｉｔ／ｓ  ＭＰＥＣ−４  ＥＲ  ＡＡＣ−ＬＤ  ｃｏｄｅｃといった音声コーデック方式を用いることを規定している。親機は、これらの音声コーデック方式のうち１つを用いて、通話ストリームを符号化してもよい。親機は、これらの音声コーデック方式のうち他のもう１つを用いて、指示ストリームを符号化してもよい。この場合、音声コーデック方式の相違が、通話ストリームと指示ストリームとを識別するための指標として利用可能であるので、子機から親機との間の通信に用いられる信号のビット数が低減される。例えば、指示ストリームは、通話ストリームよりも高いビットレートの音声符号化方式によって符号化されてもよい。第２８実施形態において、通話ストリームとは異なる音声符号化方式で指示ストリームを符号化することができる親機が説明される。
【０３０９】
図３４は、第２９実施形態の親機２０１Ｑの概略的なブロック図である。図３４を参照して、親機２０１Ｑが説明される。第２２実施形態及び第２９実施形態の間で共通して用いられる符号は、当該共通の符号が付された要素が、第２２実施形態と同一の機能を有することを意味する。したがって、第２２実施形態の説明は、これらの要素に援用される。
【０３１０】
第２２実施形態と同様に、親機２０１Ｑは、電力供給部２９０と、音声処理部２４０と、インターフェース部２５０と、アンテナ部２７０Ｊと、を備える。第２２実施形態の説明は、これらの要素に援用される。
【０３１１】
親機２０１Ｑは、集積回路２６０Ｑと、を更に備える。集積回路２６０Ｑは、アンテナ部２７０Ｊが受け取った信号を処理する。
【０３１２】
第２２実施形態と同様に、集積回路２６０Ｑは、判定部２１１と、通信管理部２２０Ｊと、Ｉ／Ｏセクション２３０と、を含む。第２２実施形態の説明は、これらの要素に援用される。
【０３１３】
集積回路２６０Ｑは、符号化部２１２Ｑを更に備える。符号化部２１２Ｑは、通話符号化部２１３と、指示符号化部２１４と、を含む。通話符号化部２１３は、通話ストリームを符号化する。加えて、通話符号化部２１３は、マイクロフォン２４２によって生成された電気信号を符号化する。指示符号化部２１４は、指示ストリームを符号化する。
【０３１４】
例えば、通話符号化部２１３は、３２ｋｂｉｔ／ｓ  ｆｕｌｌ  ｔｅｒｍ（ＡＤＰＣＭ）Ｇ．７２６を用いて、通話ストリームを符号化してもよい。指示符号化部２１４は、６４ｋｂｉｔ／ｓ  ＰＣＭＧ．７１１や６４ｋｂｉｔ／ｓ  ＭＰＥＧ−４  ＥＲ  ＡＡＣ−ＬＤ  ｃｏｄｅｃを用いて、指示ストリームを符号化してもよい。
【０３１５】
＜第３０実施形態＞
上述の様々な実施形態に関連して説明された指示ストリームは、通話ストリームの送信に用いられる公衆通信回線とは異なる公衆通信回線を通じてクラウドサーバに接続される。代替的に、指示ストリームは、通話ストリームと共通の公衆通信回線を用いて送信或いは受信されてもよい。第３０実施形態において、通話ストリーム及び指示ストリームの通信に共通の公衆通信回線を用いる制御システムが説明される。
【０３１６】
図３５は、第３０実施形態の制御システム４０２Ｒの概念図である。図３５を参照して、制御システム４０２Ｒが説明される。第１１実施形態及び第３０実施形態の間で共通して用いられる符号は、当該共通の符号が付された要素が、第１１実施形態と同一の機能を有することを意味する。したがって、第８実施形態及び／又は第１１実施形態の説明は、これらの要素に援用される。
【０３１７】
第１１実施形態と同様に、制御システム４０２Ｒは、電話子機３０１と、２台のウェアラブル端末３０３，３０４と、クラウドサーバ４２０と、スマートホン４３０と、を備える。第１１実施形態の説明は、これらの要素に援用される。
【０３１８】
制御システム４０２Ｒは、親機２０１Ｒを更に備える。第１１実施形態と同様に、親機２０１Ｒは、電話機としての機能と、ホームゲートウェイとしての機能と、を有する。加えて、親機２０１Ｒは、ＷｉＦｉルータとしての機能をも有する。
【０３１９】
親機２０１Ｒは、スマートホン４３０のＳＩＭの権限に基づき、スマートホン４３０及び携帯電話回線網ＭＴＮを通じて、ユーザが通話相手と会話することを可能にする。ユーザは、電話子機３０１やウェアラブル端末３０３，３０４を用いて、携帯電話回線網ＭＴＮを通じて通話相手と会話することもできる。したがって、通話ストリームは、携帯電話回線網ＭＴＮを通じて通信される。
【０３２０】
携帯電話回線網ＭＴＮを利用するための契約に当たって、電話子機３０１、ウェアラブル端末３０３，３０４、親機２０１Ｒ及びスマートホン４３０に対して、ＳＩＭの権限付与のための認証処理がなされてもよい。
【０３２１】
通話ストリームと同様に、指示ストリームは、携帯電話回線網ＭＴＮを通じてクラウドサーバ４２０へ送信される。操作コマンドは、携帯電話回線網ＭＴＮを通じて親機２０１Ｒへ送信される。したがって、ユーザは、同一の回線契約に基づき、シームレスに、通話や家電機器の遠隔制御を行うことができる。このことは、ユーザの利便性を向上させる。加えて、本実施形態の原理は、通話回線の使用料の観点からも、ユーザにとって有利である。本実施形態において、共通する公衆通信回線は、携帯電話回線網ＭＴＮを含む通信回線によって例示される。第２指示ストリームは、親機２０１Ｒから出力される指示ストリームによって例示される。第２通話ストリームは、親機２０１Ｒから出力される通話ストリームによって例示される。
【０３２２】
＜第３１実施形態＞
上述の様々な実施形態に関連して説明されたウェアラブル端末は、電源ボタンに対する操作に応じて、指示ビット情報及び指示ストリームを生成する。代替的に、ユーザが、特異的なジェスチャを行ったときに、ウェアラブル端末は、指示ビット情報及び指示ストリームを生成してもよい。第３１実施形態において、ユーザのジェスチャに応じて、指示ビット情報及び指示ストリームを生成するウェアラブル端末が説明される。
【０３２３】
図３６は、第３１実施形態のウェアラブル端末３００Ｓの概略的なブロック図である。図３６を参照して、ウェアラブル端末３００Ｓが説明される。第９実施形態及び第３１実施形態の間で共通して用いられる符号は、当該共通の符号が付された要素が、第９実施形態と同一の機能を有することを意味する。したがって、第９実施形態の説明は、これらの要素に援用される。
【０３２４】
ウェアラブル端末３００Ｓは、ユーザの上肢部に装着される。「上肢部」との用語は、肩から指先までのユーザの身体部位を意味する。ウェアラブル端末３００Ｓは、ユーザの手首に装着されてもよい。代替的に、ウェアラブル端末３００Ｓは、ユーザの指に装着されてもよい。本実施形態の原理は、ウェアラブル端末３００Ｓの特定の装着位置に限定されない。
【０３２５】
ウェアラブル端末３００Ｓが、ユーザの手首に装着されている場合に、ウェアラブル端末３００Ｓは、腕時計のように見えてもよい。ウェアラブル端末３００Ｓが、ユーザの指に装着されている場合に、ウェアラブル端末３００Ｓは、指輪のように見えてもよい。ウェアラブル端末３００Ｓを設計する設計者は、装着位置に適合するようにウェアラブル端末３００Ｓの意匠を決定してもよい。したがって、本実施形態の原理は、ウェアラブル端末３００Ｓの特定の意匠に限定されない。
【０３２６】
第９実施形態と同様に、ウェアラブル端末３００Ｓは、信号変換部３１０Ｄと、集積回路３２０Ｄと、アンテナ部３３１と、電力供給部３５０と、を含む。第９実施形態の説明は、これらの要素に援用される。
【０３２７】
ウェアラブル端末３００Ｓは、電源ボタン３４０Ｓと、ジェスチャ検知回路３６０と、を更に備える。第９実施形態と同様に、電源ボタン３４０Ｓは、電力供給部３５０からの電力の供給及び電力供給の停止を決定するために用いられる。第９実施形態とは異なり、指示ビット情報及び指示ストリームの生成を要求するトリガ信号は、電源ボタン３４０Ｓではなく、ジェスチャ検知回路３６０によって生成される。
【０３２８】
ジェスチャ検知回路３６０は、運動センサ３６１と、ジェスチャ判定部３６２と、を含む。運動センサ３６１は、上肢部の運動を検出する。運動センサ３６１は、上肢部の運動を表す運動データを出力する。運動センサ３６１は、加速度センサであってもよい。代替的に、運動センサ３６１は、角速度センサであってもよい。ジェスチャ判定部３６２は、運動データに基づいて、ユーザが、指示ビット情報及び指示ストリームの生成を要求しているか否かを判定する。ユーザが、指示ビット情報及び指示ストリームの生成を要求していると判定したジェスチャ判定部３６２は、トリガ信号を生成する。トリガ信号は、ジェスチャ判定部３６２から制御部３２１Ｄへ出力される。
【０３２９】
図３７は、上肢部において設定された３次元座標系の概念図である。図３６及び図３７を参照して、運動センサ３６１の運動検出技術が説明される。
【０３３０】
検知部３００は、第１軸ＤＶＸ方向の上肢部の運動を検出する。真っ直ぐに伸ばされた上肢部の鉛直下方向の肩から指先へ延びる座標軸は、以下の説明において、第２軸ＰＤＸと称される。第２軸ＰＤＸに直交する座標軸であって、ユーザの移動方向に伸びる座標軸は、以下の説明において、第３軸ＦＢＸと称される。第１軸ＤＶＸは、第２軸ＰＤＸと第３軸ＦＢＸとによって規定される座標平面に対して直交する。
【０３３１】
運動センサ３６１は、第２軸ＰＤＸと第３軸ＦＢＸとによって規定される座標平面に直交する第１軸の延設方向における上肢部の運動を検出する。運動センサ３６１として利用されるセンサの検出軸は、第２軸ＰＤＸと第３軸ＦＢＸとによって規定される座標平面に直交してもよい。この場合、運動センサ３６１は、第１軸ＤＶＸに沿う方向の運動（例えば、加速度及び／又は角速度）を精度よく検知することができる。代替的に、運動センサ３６１として利用されるセンサの検出軸は、第２軸ＰＤＸと第３軸ＦＢＸとによって規定される座標平面に対して、０°より大きく且つ９０°より小さな角度で傾斜してもよい。この場合、運動センサ３６１は、第１軸ＤＶＸに沿う方向の運動だけでなく、第２軸ＰＤＸと第３軸ＦＢＸとによって規定される座標平面に沿う方向の運動をも検知することができる。ジェスチャ判定部３６２は、運動センサ３６１から出力された運動データに対して所定のベクトル演算を施与し、第１軸ＤＶＸに沿う方向の運動と、第２軸ＰＤＸと第３軸ＦＢＸとによって規定される座標平面に沿う方向の運動と、を個別に評価してもよい。本実施形態の原理は、第２軸ＰＤＸと第３軸ＦＢＸとによって規定される座標平面に対するセンサの検出軸の特定の交差角度に限定されない。
【０３３２】
ユーザが歩行している間、上肢部は、第３軸ＦＢＸによって表される方向に頻繁に動かされる。ユーザが、遠くに存在する物を取ろうとしているとき、上肢部は、伸長されるので、ウェアラブル端末３００Ｓは第２軸ＰＤＸによって表される方向に動かされやすい。ユーザが、上半身に近い位置に存在する物を取ろうとしているとき、上肢部は、屈曲されるので、ウェアラブル端末３００Ｓは第２軸ＰＤＸによって表される方向に動かされやすい。これらのユーザの行動は、頻繁に起こる。しかしながら、第１軸ＤＶＸによって表される方向への上肢部の運動は、第３軸ＦＢＸや第２軸ＰＤＸによって表される方向における運動と比べて稀である。すなわち、ユーザが、第１軸ＤＶＸによって表される方向へ上肢部を高速に及び／又は大きく動かすことは稀である。
【０３３３】
運動センサ３６１が、第１軸ＤＶＸによって表される方向における上肢部（すなわち、ウェアラブル端末３００Ｓ）の運動を検知したとき、指示ビット情報及び指示ストリームは、制御部３２１Ｄの制御下で生成されるので、家電機器に対する遠隔操作は、ユーザの無意識の運動によっては開始されにくい。したがって、家電機器は、意図せず操作されにくくなる。
【０３３４】
図３８は、ユーザが求める操作とウェアラブル端末３００Ｓに対する操作との間の例示的な関係を表す表である。図３６乃至図３８を参照して、ユーザが求める操作とウェアラブル端末３００Ｓに対する操作との間の例示的な関係が説明される。
【０３３５】
ユーザが、家電機器を遠隔操作したい場合に、ユーザは、第１軸ＤＶＸによって表される方向へ、ウェアラブル端末３００Ｓが装着された上肢部を運動させればよい。ユーザが、ウェアラブル端末３００Ｓを通じた通話を求めている場合に、ユーザは、電源ボタン３４０Ｓを押せばよい。スマートホンに着信があったときに、ユーザが、ウェアラブル端末３００Ｓを用いて応答したい場合に、ユーザは、タッチパネル３１１Ｄに触れればよい。
【０３３６】
上述の実施形態の一局面に係る制御方法が適用されるコードレス電話機器は、ユーザの音声指示によって、家電機器に対する遠隔操作を実行するシステムに用いられる。制御方法は、前記コードレス電話機器の子機が備える受音部を通じて入力された音声を、前記子機が備える第１生成部に符号化させ、第１ストリームを生成させる第１生成ステップと、前記第１ストリームを、前記コードレス電話機器の親機へ送信する第１送信ステップと、を備える。前記第１生成ステップは、前記遠隔操作の開始要求を示す第１トリガが前記第１生成部に与えられた場合に、前記第１生成部に、前記音声が前記音声指示であることを表す指示ビット情報と前記第１ストリームとして前記音声指示を表す第１指示ストリームを生成させることを含む。前記第１送信ステップは、前記指示ビット情報と前記第１指示ストリームとを、前記第１トリガが与えられることなく生成された前記第１ストリームと共通の多重化方式を通じて前記親機へ送信することを含む。
【０３３７】
上記の構成によれば、指示ビット情報及び第１指示ストリームは、第１トリガが与えられることなく生成された第１ストリームと共通の多重化方式を通じて親機へ送信されるので、ユーザは、コードレス電話機器の動作モードを、通話モードと遠隔操作モードとの間で簡便に切り替えることができる。
【０３３８】
上記の構成において、前記共通の多重化方式は、ＤＥＣＴ規格に準拠したＴＤＤ−ＴＤＭＡ方式であってもよい。
【０３３９】
上記の構成によれば、共通の多重化方式は、ＤＥＣＴ規格に準拠したＴＤＤ−ＴＤＭＡ方式であるので、家電機器を遠隔操作するためのシステムは容易に構築される。
【０３４０】
上記の構成において、前記第１トリガが与えられない場合に、前記第１生成ステップは、前記第１生成部に、前記音声が音声通話であることを示す通話ビット情報と、前記第１ストリームとして前記音声を表す第１通話ストリームと、を生成させることを含んでもよい。
【０３４１】
上記の構成によれば、第１生成部は、通話ビット情報を生成するので、親機は、ユーザが遠隔操作モードを望んでいるか否かを正確に識別することができる。したがって、コードレス電話機器は、動作モードを誤って切替にくくなる。
【０３４２】
上記の構成において、前記第１生成ステップは、前記第１通話ストリームの生成中に前記第１生成部が前記第１トリガを受け取った場合に、前記第１生成部に、前記指示ビット情報と前記第１指示ストリームとを生成させ、且つ、前記コードレス電話機器の動作モードを、前記音声を通話相手に伝達する通話モードから前記通話相手への前記音声の伝達を遮断するミュートモードに切り替えさせることを含んでもよい。
【０３４３】
上記の構成によれば、第１通話ストリームの生成中に第１トリガを受け取った第１生成部は、コードレス電話機器の動作モードを、音声を通話相手に伝達する通話モードから通話相手への前記音声の伝達を遮断するミュートモードへ切り替えるので、コードレス電話機器に与えられる音声指示は、通話相手に届きにくくなる。したがって、ユーザは、通話中においても、コードレス電話機器の動作モードを、通話モードから遠隔操作モードへ簡便に切り替えることができる。
【０３４４】
上記の構成において、前記第１生成ステップは、前記ミュートモードの間、前記第１生成部に、前記音声に代替する代替音を表す代替ストリームを生成させることを含んでもよい。前記第１送信ステップは、前記共通の多重化方式を通じて前記親機へ前記代替ストリームを送信することを含んでもよい。
【０３４５】
上記の構成によれば、代替ストリームが、親機へ送信されるので、通話相手は、ミュートモードの間、代替音を聞くことができる。したがって、通話相手は、コードレス電話機器との接続が継続していることを認識することができる。
【０３４６】
上記の構成において、前記第１生成ステップは、前記第１生成部が前記通話モードへの復帰の要求を示す第２トリガを受け取った場合に、（ｉ）前記第１生成部に前記ミュートモードを終了させることと、（ｉｉ）前記第１生成部に前記通話ビット情報と前記第１通話ストリームとを生成させることを含んでもよい。
【０３４７】
上記の構成によれば、ユーザは、通話中に、コードレス電話機器の動作モードを、遠隔操作モードから通話モードへ簡単に戻すことができる。
【０３４８】
上記の構成において、前記第１生成ステップは、前記ミュートモードの開始から所定期間の経過後に、（ｉ）前記第１生成部に前記ミュートモードを終了させることと、（ｉｉ）前記第１生成部に前記通話ビット情報と前記第１通話ストリームとを生成させることと、を含んでもよい。
【０３４９】
上記の構成によれば、ユーザは、通話中に、コードレス電話機器の動作モードを、遠隔操作モードから通話モードへ簡単に戻すことができる。
【０３５０】
上記の構成において、前記第１生成ステップは、前記通話ビット情報として、前記第１通話ストリームに対する音声符号化方式を指定する情報を前記第１生成部に生成させることを含んでもよい。
【０３５１】
上記の構成によれば、第１通話ストリームは、通話ビット情報によって指定された音声符号化方式で適切に符号化される。
【０３５２】
上記の構成において、前記第１生成ステップは、前記通話ビット情報として、前記第１通話ストリームに対するビットレートを指定する情報を前記第１生成部に生成させることを含んでもよい。
【０３５３】
上記の構成によれば、第１通話ストリームは、通話ビット情報によって指定されたビットレートで適切に符号化される。
【０３５４】
上記の構成において、前記第１生成ステップは、前記指示ビット情報として、前記第１指示ストリームに対する音声符号化方式を指定する情報を前記第１生成部に生成させることを含んでもよい。
【０３５５】
上記の構成によれば、第１指示ストリームは、指示ビット情報によって指定された音声符号化方式で適切に符号化される。
【０３５６】
上記の構成において、前記第１生成ステップは、前記指示ビット情報として、前記第１指示ストリームに対するビットレートを指定する情報を前記第１生成部に生成させることを含んでもよい。
【０３５７】
上記の構成によれば、第１指示ストリームは、指示ビット情報によって指定されたビットレートで適切に符号化される。
【０３５８】
上記の構成において、前記第１生成ステップは、前記第１生成部に、前記第１指示ストリーム及び前記第１通話ストリームを、前記ＤＥＣＴ規格に準拠した音声符号化方式及びビットレートで符号化させることを含んでもよい。
【０３５９】
上記の構成によれば、第１指示ストリーム及び第１通話ストリームは、ＤＥＣＴ規格に準拠した音声符号化方式及びビットレートで適切に符号化される。
【０３６０】
上記の構成において、前記第１トリガは、前記子機に対して与えられる所定の運動、前記子機に対して与えられる所定の音声又は前記子機に対して与えられる所定の操作によって前記第１生成部に与えられてもよい。
【０３６１】
上記の構成によれば、ユーザは、所定の運動、所定の音声又は所定の操作を子機に与え、コードレス電話機器の動作モードを簡便に切り替えることができる。
【０３６２】
上記の構成において、制御方法は、前記子機から前記親機へ伝達された前記第１ストリームに対応する第２ストリームを生成する第２生成ステップと、前記第２ストリームを送信する第２送信ステップと、を更に備えてもよい。前記第２生成ステップは、（ｉ）前記親機が、前記指示ビット情報と前記第１指示ストリームとを受け取った場合に、前記親機に前記第１指示ストリームに対応する第２指示ストリームを生成させることと、（ｉｉ）前記親機が、前記通話ビット情報と前記第１通話ストリームとを受け取った場合に、前記第１通話ストリームに対応する第２通話ストリームを生成させることと、を含んでもよい。前記第２送信ステップは、（ｉｉｉ）前記親機が、前記第２指示ストリームを生成した場合に、前記親機に、前記第２指示ストリームを、前記第２指示ストリームから前記家電機器を制御するための制御コマンドを生成するサーバへ送信させることと、（ｉｖ）前記親機が、前記第２通話ストリームを生成した場合に、前記第２通話ストリームを、前記通話相手の電話機へ送信することと、を含んでもよい。
【０３６３】
上記の構成によれば、親機は、指示ビット情報及び第１指示ストリームの受信に応じて、第１指示ストリームに対応する第２指示ストリームを生成するので、家電機器は、ユーザからの音声に従って、適切に動作することができる。親機は、通話ビット情報及び第１通話ストリームの受信に応じて、第１通話ストリームに対応する第２通話ストリームを生成するので、ユーザは、通話相手と適切に会話をすることができる。
【０３６４】
上記の構成において、前記第２送信ステップは、前記第２指示ストリームと前記第２通話ストリームとの間で共通する公衆通信回線を通じて、前記親機に、前記第２指示ストリームと前記第２通話ストリームとを選択的に送信させることを含んでもよい。
【０３６５】
上記の構成によれば、親機は、第２指示ストリームと第２通話ストリームとの間で共通する公衆通信回線を通じて、前記第２指示ストリームと前記第２通話ストリームとを選択的に送信するので、コードレス電話機器と公衆通信回線との接続は簡素化される。
【０３６６】
上記の構成において、前記第２送信ステップは、（ｉ）前記親機が、前記第２指示ストリームを生成した場合に、前記親機に、前記第２指示ストリームを、第１公衆通信回線を通じて送信させることと、（ｉｉ）前記親機が、前記第２通話ストリームを生成した場合に、前記親機に、前記第２通話ストリームを、前記第１公衆通信回線とは異なる第２公衆通信回線を通じて送信させることと、を含んでもよい。
【０３６７】
上記の構成によれば、第２通話ストリームを生成する親機は、第２通話ストリームを、第１公衆通信回線とは異なる第２公衆通信回線を通じて送信するので、ユーザは、第２指示ストリームの送信に適した公衆通信回線を第１公衆通信回線として選択でき、且つ、第２通話ストリームの送信に適した公衆通信回線を第２公衆通信回線として選択することができる。
【０３６８】
上記の構成において、前記第２生成ステップは、前記ミュートモードの間、前記親機に、前記音声に代替する代替音を表す代替ストリームを生成させることを含んでもよい。前記第２送信ステップは、前記親機が、前記代替ストリームを生成した場合に、前記代替ストリームを、前記通話相手の前記電話機へ送信することと、を含んでもよい。
【０３６９】
上記の構成によれば、代替ストリームが、通話相手の電話機へ送信されるので、通話相手は、ミュートモードの間、代替音を聞くことができる。したがって、通話相手は、コードレス電話機器との接続が継続していることを認識することができる。
【０３７０】
上述の実施形態の他の局面に係るコードレス電話機器の子機は、ユーザの音声指示によって、家電機器に対する遠隔操作を実行するシステムに用いられる。子機は、前記ユーザの音声を受け取る受音部と、前記受音部を通じて入力された前記音声を符号化し、第１ストリームを生成する第１生成部と、前記第１ストリームを、前記コードレス電話機器の親機へ送信する第１送信部と、を備える。前記第１生成部は、前記遠隔操作の開始要求を示す第１トリガに応じて、前記音声が前記音声指示であることを表す指示ビット情報と、前記第１ストリームとして前記音声指示を表す第１指示ストリームと、を生成する。前記第１送信部は、前記指示ビット情報と前記第１指示ストリームとを、前記第１トリガが与えられることなく生成された前記第１ストリームと共通の多重化方式を通じて前記親機へ送信する。
【０３７１】
上記の構成によれば、指示ビット情報及び第１指示ストリームは、第１トリガが与えられることなく生成された第１ストリームと共通の多重化方式を通じて親機へ送信されるので、ユーザは、コードレス電話機器の動作モードを、通話モードと遠隔操作モードとの間で簡便に切り替えることができる。
【０３７２】
上記の構成において、前記第１トリガが与えられない場合に、前記第１生成部は、前記音声が音声通話であることを示す通話ビット情報と前記第１ストリームとして前記音声を表す第１通話ストリームを生成してもよい。
【０３７３】
上記の構成によれば、第１生成部は、通話ビット情報を生成するので、親機は、ユーザが遠隔操作モードを望んでいるか否かを正確に識別することができる。したがって、コードレス電話機器は、動作モードを誤って切替にくくなる。
【０３７４】
上記の構成において、子機は、前記第１トリガを前記第１生成部に与えるトリガ生成部を更に備えてもよい。
【０３７５】
上記の構成によれば、子機は、トリガ生成部を備えるので、ユーザは、子機を操作し、コードレス電話機器の動作モードを、通話モードと遠隔操作モードとの間で簡便に切り替えることができる。
【０３７６】
上述の実施形態の更に他の局面に係るコードレス電話機器は、上述の子機と、親機と、を備える。前記親機は、（ｉ）前記指示ビット情報及び前記第１指示ストリームの受信に応じて、前記第１指示ストリームに対応する第２指示ストリームを生成し、且つ、前記通話ビット情報及び前記第１通話ストリームの受信に応じて、前記第１通話ストリームに対応する第２通話ストリームを生成する第２生成部と、（ｉｉ）前記第２指示ストリームを、前記第２指示ストリームから前記家電機器を制御するための制御コマンドを生成するサーバへ送信し、且つ、前記第２通話ストリームを、通話相手の電話機へ送信する第２送信部と、を含む。
【０３７７】
上記の構成によれば、親機は、指示ビット情報及び第１指示ストリームの受信に応じて、第１指示ストリームに対応する第２指示ストリームを生成するので、家電機器は、ユーザからの音声に従って、適切に動作することができる。親機は、通話ビット情報及び第１通話ストリームの受信に応じて、第１通話ストリームに対応する第２通話ストリームを生成するので、ユーザは、通話相手と適切に会話をすることができる。
【０３７８】
上述の様々な実施形態の原理は、家電機器の制御に対する要求に適合するように、組み合わされてもよい。
【産業上の利用可能性】
【０３７９】
上述の実施形態の原理は、家電機器に対する制御に好適に利用される。
【符号の説明】
【０３８０】
１００，１００Ａ，１００Ｈ・・・・・・・・・・・・・・・コードレス電話機器
１０１・・・・・・・・・・・・・・・・・・・・・・・・・コードレス電話機器
１０２，１０２Ｆ，１０２Ｇ・・・・・・・・・・・・・・・コードレス電話機器
１０３，１０３Ｌ・・・・・・・・・・・・・・・・・・・・コードレス電話機器
２００，２００Ｈ・・・・・・・・・・・・・・・・・・・・親機
２０１，２０１Ｉ〜２０１Ｌ・・・・・・・・・・・・・・・親機
２０１Ｑ，２０１Ｒ・・・・・・・・・・・・・・・・・・・親機
２１０・・・・・・・・・・・・・・・・・・・・・・・・・生成部
２１１・・・・・・・・・・・・・・・・・・・・・・・・・判定部
２１２，２１２Ｑ・・・・・・・・・・・・・・・・・・・・符号化部
２１３・・・・・・・・・・・・・・・・・・・・・・・・・通話符号化部
２１４・・・・・・・・・・・・・・・・・・・・・・・・・指示符号化部
２２０・・・・・・・・・・・・・・・・・・・・・・・・・送信部
２２０Ｉ〜２２０Ｌ・・・・・・・・・・・・・・・・・・・通信管理部
２７０，２７０Ｊ〜２７０Ｋ・・・・・・・・・・・・・・・アンテナ部
３００，３００Ａ・・・・・・・・・・・・・・・・・・・・子機
３００Ｂ，３００Ｃ・・・・・・・・・・・・・・・・・・・電話子機
３００Ｄ，３００Ｆ，３００Ｇ・・・・・・・・・・・・・・ウェアラブル端末
３００Ｎ，３００Ｐ，３００Ｓ・・・・・・・・・・・・・・ウェアラブル端末
３０１，３０２・・・・・・・・・・・・・・・・・・・・・電話子機
３０３，３０４・・・・・・・・・・・・・・・・・・・・・ウェアラブル端末
３１０・・・・・・・・・・・・・・・・・・・・・・・・・受音部
３１３・・・・・・・・・・・・・・・・・・・・・・・・・マイクロフォン
３２０・・・・・・・・・・・・・・・・・・・・・・・・・生成部
３２０Ａ・・・・・・・・・・・・・・・・・・・・・・・・ストリーム生成部
３２１，３２１Ｃ，３２１Ｄ，３２１Ｆ，３２１Ｇ・・・・・制御部
３２２，３２２Ｐ・・・・・・・・・・・・・・・・・・・・符号化部
３２８・・・・・・・・・・・・・・・・・・・・・・・・・通話符号化部
３２９・・・・・・・・・・・・・・・・・・・・・・・・・指示符号化部
３３０・・・・・・・・・・・・・・・・・・・・・・・・・送信部
３３１・・・・・・・・・・・・・・・・・・・・・・・・・アンテナ部
３３２，３３２Ｆ，３３２Ｇ・・・・・・・・・・・・・・・通信部
３４０・・・・・・・・・・・・・・・・・・・・・・・・・トリガ信号生成部
３４０Ｂ，３４０Ｓ・・・・・・・・・・・・・・・・・・・電源ボタン
３６０・・・・・・・・・・・・・・・・・・・・・・・・・ジェスチャ検知回路
４００，４００Ｆ，４００Ｇ，４００Ｍ，４００Ｎ・・・・・制御システム
４０１・・・・・・・・・・・・・・・・・・・・・・・・・制御システム
４０２，４０２Ｅ，４０２Ｌ，４０２Ｒ・・・・・・・・・・制御システム
４２０，４２０Ｍ・・・・・・・・・・・・・・・・・・・・クラウドサーバ
ＡＰＬ・・・・・・・・・・・・・・・・・・・・・・・・・家電機器
ＳＶＲ・・・・・・・・・・・・・・・・・・・・・・・・・サーバ
【図１】
2018088723.tif 000003
【図２】
2018088723.tif 000004
【図３】
2018088723.tif 000005
【図４】
2018088723.tif 000006
【図５】
2018088723.tif 000007
【図６】
2018088723.tif 000008
【図７】
2018088723.tif 000009
【図８】
2018088723.tif 000010
【図９】
2018088723.tif 000011
【図１０】
2018088723.tif 000012
【図１１】
2018088723.tif 000013
【図１２】
2018088723.tif 000014
【図１３】
2018088723.tif 000015
【図１４】
2018088723.tif 000016
【図１５】
2018088723.tif 000017
【図１６】
2018088723.tif 000018
【図１７】
2018088723.tif 000019
【図１８Ａ】
2018088723.tif 000020
【図１８Ｂ】
2018088723.tif 000021
【図１９】
2018088723.tif 000022
【図２０】
2018088723.tif 000023
【図２１】
2018088723.tif 000024
【図２２】
2018088723.tif 000025
【図２３】
2018088723.tif 000026
【図２４】
2018088723.tif 000027
【図２５】
2018088723.tif 000028
【図２６Ａ】
2018088723.tif 000029
【図２６Ｂ】
2018088723.tif 000030
【図２７】
2018088723.tif 000031
【図２８】
2018088723.tif 000032
【図２９】
2018088723.tif 000033
【図３０】
2018088723.tif 000034
【図３１】
2018088723.tif 000035
【図３２】
2018088723.tif 000036
【図３３】
2018088723.tif 000037
【図３４】
2018088723.tif 000038
【図３５】
2018088723.tif 000039
【図３６】
2018088723.tif 000040
【図３７】
2018088723.tif 000041
【図３８】
2018088723.tif 000042